(57)【要約】  移動端末（１０）は、広域セルと、広域セルに包含される小規模セルとを有するネットワークにおいて用いられる。移動端末（１０）は、マクロ基地局からブロードキャストにより送信される、セル選択に用いるオフセット情報と、オフセット情報を補正してユーザにより設定された小型基地局に接続しやすくするためのオフセット補正情報を受信する基本通信機能（１２）と、複数の小規模セルのうち、優先接続を希望する優先ホーム基地局の設定を受け付ける志向設定部（１４）と、優先ホーム基地局を検知したときに、オフセット情報をオフセット補正情報により補正するオフセット情報補正処理部（１８）と、オフセット情報を加えた受信品質の値を用いて、セル選択を行うセル選択部（２４）とを備える。これにより、ユーザ個別の志向を移動端末ごとに個々に設定することができ、情報の通知量を抑えることができる。
2010032351.tif 000002
【特許請求の範囲】
【請求項１】
マクロ基地局と複数のホーム基地局を有するネットワークにおいて用いられる移動端末であって、
前記マクロ基地局および前記ホーム基地局から送信された信号の受信品質を測定する受信品質測定部と、
セル選択に用いるオフセット情報を前記マクロ基地局から受信するオフセット情報受信部と、
前記マクロ基地局からブロードキャストにより送信される、前記オフセット情報を補正するオフセット補正情報を受信するオフセット補正情報受信部と、
前記複数のホーム基地局のうち優先接続する少なくとも一つの優先ホーム基地局の情報を記憶する優先基地局情報記憶部と、
前記優先ホーム基地局を検知したときに、前記オフセット情報を前記オフセット補正情報によって補正するオフセット情報補正部と、
前記受信品質に、前記オフセット情報受信部にて受信したオフセット情報または前記オフセット情報補正部にて補正されたオフセット情報を加え、オフセット情報を加えた受信品質に基づいてセル選択を行うセル選択部と、
を備える移動端末。
【請求項２】
設定可能な前記優先ホーム基地局の個数の上限値を記憶した上限値記憶部を備える請求項１に記載の移動端末。
【請求項３】
前記上限値を示すデータを、前記第マクロ基地局から受信する上限値受信部を備え、
前記上限値受信部にて受信した上限値のデータを前記上限値記憶部に記憶する請求項２に記載の移動端末。
【請求項４】
前記オフセット補正情報を使用してよいか否かを示す使用可否（availability）情報を含む報知情報を、前記第マクロ基地局から受信する報知情報受信部を備え、
前記セル選択部は、前記優先ホーム基地局を検知したときに、前記報知情報に含まれる使用可否情報に基づいて、前記オフセット補正情報の使用可否を判定する請求項１〜３のいずれかに記載の移動端末。
【請求項５】
前記オフセット補正情報受信部は、前記優先ホーム基地局に接続しやすくする度合いが異なる複数のオフセット補正情報を受信する請求項１〜４のいずれかに記載の移動端末。
【請求項６】
前記第マクロ基地局は３ＧＰＰで規定されるｅＮｏｄｅＢであり、前記ホーム基地局は３ＧＰＰで規定されるＨｏｍｅ  ｅＮｏｄｅＢである請求項１〜５のいずれかに記載の移動端末。
【請求項７】
配下のセル内に複数のホーム基地局を含むマクロ基地局であって、
セル選択に用いるオフセット情報を前記移動端末に送信するオフセット情報送信部と、
前記オフセット情報を補正するオフセット補正情報をブロードキャストにより前記移動端末に送信するオフセット補正情報送信部と、
を備えるマクロ基地局。
【請求項８】
複数のホーム基地局のうち、優先接続を希望する優先ホーム基地局として設定可能な個数の上限値を示すデータを、前記移動端末に送信する上限値送信部を備える請求項７に記載のマクロ基地局。
【請求項９】
前記オフセット補正情報を使用してよいか否かを示す使用可否情報を含む報知情報を、前記移動端末に送信する報知情報送信部を備える請求項７または８に記載のマクロ基地局。
【請求項１０】
前記オフセット補正情報送信部は、前記優先ホーム基地局に接続しやすくする度合いが異なる複数のオフセット補正情報を前記移動端末に送信する請求項７〜９のいずれかに記載のマクロ基地局。
【請求項１１】
前記ホーム基地局は３ＧＰＰで規定されるＨｏｍｅ  ｅＮｏｄｅＢである請求項７〜１０のいずれかに記載のマクロ基地局。
【請求項１２】
マクロ基地局と複数のホーム基地局を有するネットワークにおいて移動端末によるセルの選択を制御するためのシステムであって、
前記第マクロ基地局は、
セル選択に用いるオフセット情報を前記移動端末に送信するオフセット情報送信部と、
前記オフセット情報を補正するオフセット補正情報をブロードキャストにより前記移動端末に送信するオフセット補正情報送信部と、
を備え、
前記移動端末は、
前記マクロ基地局および前記ホーム基地局から送信された信号の受信品質を測定する受信品質測定部と、
前記第マクロ基地局から前記オフセット情報を受信するオフセット情報受信部と、
前記第マクロ基地局から前記オフセット補正情報を受信するオフセット補正情報受信部と、
前記複数のホーム基地局のうち優先接続する少なくとも一つの優先ホーム基地局の情報を記憶する優先基地局情報記憶部と、
前記優先ホーム基地局を検知したときに、前記オフセット情報を前記オフセット補正情報によって補正するオフセット情報補正部と、
前記受信品質に、前記オフセット情報受信部にて受信したオフセット情報または前記オフセット情報補正部にて補正されたオフセット情報を加え、オフセット情報を加えた受信品質に基づいてセル選択を行うセル選択部と、
を備えるセル選択システム。
【請求項１３】
マクロ基地局と複数のホーム基地局を有するネットワークにおいて用いられる移動端末によるセル選択方法であって、
セル選択に用いるオフセット情報を前記マクロ基地局から受信するステップと、
前記マクロ基地局からブロードキャストにより送信される、前記オフセット情報を補正するオフセット補正情報を受信するステップと、
前記複数のホーム基地局のうち優先接続する少なくとも一つの優先ホーム基地局の情報を優先基地局情報記憶部に記憶するステップと、
前記マクロ基地局および前記ホーム基地局から送信された信号の受信品質を測定するステップと、
前記優先ホーム基地局を検知したときに、前記オフセット情報を前記オフセット補正情報によって補正するステップと、
前記受信品質に、前記マクロ基地局から受信したオフセット情報または前記オフセット補正情報によって補正されたオフセット情報を加え、オフセット情報を加えた受信品質に基づいてセル選択を行うステップと、
を備えるセル選択方法。
【請求項１４】
配下のセル内に複数のホーム基地局を含むマクロ基地局によって、移動端末のセル選択を制御する方法であって、
セル選択に用いるオフセット情報を前記移動端末に送信するステップと、
前記オフセット情報を補正するオフセット補正情報をブロードキャストにより前記移動端末に送信するステップと、
を備えるセル選択制御方法。
【発明の詳細な説明】
【関連する出願】
【０００１】
本出願では、２００８年９月１９日に日本国に出願された特許出願番号２００８−２４１０３９の利益を主張し、当該出願の内容は引用することによりここに組み込まれているものとする。
【技術分野】
【０００２】
本発明は、第１のセルと第１のセルに包含される第２のセルとを有するネットワークにおいて移動端末がセルを選択する技術に関する。
【背景技術】
【０００３】
３ＧＰＰでは、広域のエリアをカバーするマクロ基地局として、ｅＮｏｄｅＢ（以下、「ｅＮＢ」という）、Ｈｏｍｅ  ｅＮｏｄｅＢ（以下、「ＨｅＮＢ」という）が規定されている。ＨｅＮＢは、マクロ基地局のセル内において比較的狭いエリアをカバーする小型基地局（micro  BS）である。ＨｅＮＢのオペレーターは、ＨｅＮＢが持つＩＤ（ＣＳＧＩＤ）によりＨｅＮＢにアクセスできるユーザを制限することができる。ＨｅＮＢは、モバイルオペレータの管理するコアネットワークまでのアクセスを、モバイルオペレータとは異なるネットワークオペレータのネットワークを介しても接続可能となるように構成した基地局である。ＨｅＮＢは、モバイルオペレータが設置する他に、移動端末のユーザ自身や、オフィス管理者、ショッピングモールや、公共施設などの管理者がＨｅＮＢを配置することが想定されている。【０００４】
小型基地局は、マクロ基地局と同様に、移動端末を収容できるが、その配置は、小型基地局の運用者の意図を反映した形で行われる。例えば、個人ユーザ所有の小型基地局であれば、ユーザ宅をサービスセルとしてカバーするように配置され、また、大学キャンパスのモバイル環境用として配置される場合は、大学敷地内をカバーするように複数の小型基地局を配置することが考えられる。【０００５】
小型基地局においては、運用者の意図を反映し、接続可能な移動端末を制限するアクセスコントロール（ＣＳＧ）を行うことが可能である。この場合、ＣＳＧの対象外の移動端末は、小型基地局への接続が拒否される。このようなシステムにおいては、移動端末は、接続可能な小型基地局のリストであるホワイトリストを作成し、記憶する場合もある。移動端末は、小型基地局を検知すると、ホワイトリストを参照して、接続可能な小型基地局であるか否かを判断する。【０００６】
ホワイトリストは、例えば、次の方法で作成することができる。（１）小型基地局への接続が可能かどうか逐一確かめる（ホワイトリストになくても接続手順を試みる）モードにおいて、接続可能であることを確認した小型基地局をホワイトリストに追加するようネットワーク側に依頼する。（２）対応する小型基地局のＩＤ等をネットワーク側と交渉し、接続可能であると通知されたＩＤ等を書き込んでいく。【０００７】
なお、ＣＳＧについては、非特許文献１〜３に記載されている。非特許文献１は、ＣＳＧセルの定義および動作（ＵＭＴＳおよびＬＴＥ）を記載し、非特許文献２はＣＳＧセルの要求仕様（ＬＴＥ）を記載し、非特許文献３はＣＳＧセルのセル選択動作（ＬＴＥ）を記載している。【０００８】
次に、上記したようなｅＮＢ、ＨｅＮＢを有するシステムにおいて、ハンドオーバすべきセルを選択するセル選択について説明する。セルの選択は、基本的には、ハンドオーバ元のセルとハンドオーバ先の候補となるセルとの接続品質に基づいて行われる。【０００９】
ハンドオーバ元の接続品質が一定の条件を満たさなくなると、移動端末は他の基地局の使用を検討するため、他の基地局との接続を想定した品質測定を行う。ハンドオーバ先の基地局の選択は、移動端末側とネットワーク側でデータ伝送を行っている状態（アクティブ状態）では、ネットワーク主導で行われ、移動端末とネットワーク側でデータ伝送を行っていない状態（アイドル状態）では、移動端末主導で行われる。【００１０】
いずれの場合も、移動端末にて測定した接続品質をそれぞれ比較し、最も品質が良いと思われる基地局を選定する。このとき、基地局の選択基準として、測定した品質の情報の他に勘案すべき情報がある場合、ネットワーク側は測定した品質情報に加減算するためのパラメータとしてオフセット情報を通知し、セル選択の傾向を制御することができる。【００１１】
オフセット情報は、報知情報として通知される場合と、特定の移動端末に対して特別な値を設定するために、報知情報を上書きするように個別通知される場合とがある。オフセット情報を用いる例としては、ハンドオーバ（セル選択）先の候補の基地局が、ハンドオーバ（セル選択）元の基地局とは異なるアクセステクノロジで動作している場合に、同一の方法で測定した場合の差異を相殺するために用いられる。また、異なる周波数帯のセルごとで、使用するリソースを平滑化するため、ネットワーク側の意図する周波数帯のセルに移動端末を誘導する目的で使用される。【００１２】
このオフセット情報を、前述したホワイトリストに、各小型基地局に対する「接続しやすさ」を反映する情報として設定することもできる。
【先行技術文献】
【非特許文献】
【００１３】
【非特許文献１】3GPP  TS22.011  １章および８章
【非特許文献２】3GPP  TR36.300  Annex  F
【非特許文献３】3GPP  TR36.304  ５章
【発明の概要】
【発明が解決しようとする課題】
【００１４】
上述したように、小型基地局は、モバイルオペレータとは異なり、よりユーザに近い所有者により運用されることも想定しているので、ユーザもしくは小型基地局の所有者の志向を反映して、小型基地局に接続するか否かの選択を行えることが望ましい。以降、ユーザが所有する移動端末を、その移動端末のホームの小型基地局に優先的に接続させたい（使用料の面での優遇があるなど）、公共的に提供される小型基地局に接続させたい、ホットスポットのようなサービスエリアに一定期間滞在したいなど、移動端末のユーザの接続先に関する要望をユーザの志向と表記する。なお、ユーザの志向は、必ずしもシステム上で通信パラメータなどから判定する接続先とは一致するとは限らない。【００１５】
モバイルオペレータのセル選択基準は、地域、周波数帯、アクセステクノロジ等の要素を勘案する。しかし、小型基地局を優先して使用したい度合いや傾向は、各移動端末によって異なる。例えば、移動端末が異なると、優先して使用したい小型基地局の傾向は、全く反対になるかもしれない。また、ユーザの使用状況の変化に応じて、優先して使用したい小型基地局が時々刻々と変化する可能性があり、優先すべき小型基地局をいったん設定しても、時間が違えば、ユーザの志向が逆転するかもしれない。【００１６】
移動端末毎に、小型基地局別の「接続しやすさ」を設定するために、移動端末別、小型基地局別のオフセット情報を通知することが考えられる。移動端末は、ユーザの志向設定の変更に応じて、対応する小型基地局へのオフセット情報の変更を要求する。ネットワーク側は、マクロ基地局を介して、それぞれの移動端末がそれぞれの小型基地局のセル選択に使用するオフセット値の一覧を、移動端末からの要求に応じて報知する。移動端末は、小型基地局を発見した際は、受信したオフセット値の一覧を用いてセル選択を行う。【００１７】
しかし、この方法は、報知情報が非常に多くなってしまうという課題がある。例えば、一つのマクロ基地局が構成するセル内にn個の移動端末とm個の小型基地局があるとすると、報知情報は、n×m個のオフセット情報とそのオフセット情報を用いるべき移動端末および小型基地局のＩＤをリスト化した情報を報知する必要がある。しかし、一般に報知情報のサイズは限られており、このように報知情報が肥大化する構造とすることは望ましいことではない。【００１８】
上述したホワイトリストを用いる方法も考えられる。移動端末は、ユーザの志向設定の変更があると、ホワイトリストの構成の変更を依頼し、ネットワーク側へ、どの小型基地局がどの程度優先されるように変更されるのが望ましいかを通知する。ネットワーク側は通知に基づき、ホワイトリストに付加するプライオリティを変更する。ネットワーク側は、マクロ基地局を介してそれぞれの移動端末がそれぞれの小型基地局のセル選択に使用するオフセット情報を更新する。移動端末は、小型基地局を発見した際に、ホワイトリストに示される最新のオフセットを用いてセル選択を行う。【００１９】
しかし、ホワイトリストは運用として接続対象として扱ってよいかどうかの静的な情報を管理することが主目的であるため、頻繁に更新されるデータを扱うにはあまり適していない。ホワイトリストの自動的な更新周期は非常に長いので、意図的に更新するために複数のシグナリングを含む手順を実行しなければならない。ユーザの使用状況の変化に応じて志向設定が時々刻々と変化するため、優先すべき小型基地局を頻繁に更新しなければならない状況においては、ホワイトリストを頻繁に更新しなければユーザの志向設定に追いつくことができないが、これはホワイトリストの運用としては、望ましいことではない。依然として、通知情報が非常に多いという課題も存在する。【００２０】
そこで、本発明は上記背景に鑑み、ユーザ個別の志向を移動端末ごとに個々に設定することができ、情報の通知量を抑えたセル選択の制御方法を提案することを目的とする。
【課題を解決するための手段】
【００２１】
本発明の移動端末は、マクロ基地局と複数のホーム基地局を有するネットワークにおいて用いられる移動端末であって、前記マクロ基地局および前記ホーム基地局から送信された信号の受信品質を測定する受信品質測定部と、セル選択に用いるオフセット情報を前記マクロ基地局から受信するオフセット情報受信部と、前記マクロ基地局からブロードキャストにより送信される、前記オフセット情報を補正するオフセット補正情報を受信するオフセット補正情報受信部と、前記複数のホーム基地局のうち優先接続する少なくとも一つの優先ホーム基地局の情報を記憶する優先基地局情報記憶部と、前記優先ホーム基地局を検知したときに、前記オフセット情報を前記オフセット補正情報によって補正するオフセット情報補正部と、前記受信品質に、前記オフセット情報受信部にて受信したオフセット情報または前記オフセット情報補正部にて補正されたオフセット情報を加え、オフセット情報を加えた受信品質に基づいてセル選択を行うセル選択部とを備える。【００２２】
この構成により、ユーザが優先接続を希望する優先ホーム基地局が選択されやすくなると共に、基地局はオフセット補正情報を送信するので、優先ホーム基地局が選択されやすくなる度合いを調整できる。マクロ基地局は、全移動端末に共通の情報を報知すればよいので、通知する情報量を抑制できる。【００２３】
本発明のマクロ基地局は、配下のセル内に複数のホーム基地局を含むマクロ基地局であって、セル選択に用いるオフセット情報を前記移動端末に送信するオフセット情報送信部と、前記オフセット情報を補正するオフセット補正情報をブロードキャストにより前記移動端末に送信するオフセット補正情報送信部とを備える。【００２４】
この構成により、ユーザが優先接続を希望する優先ホーム基地局が選択されやすくなると共に、マクロ基地局はオフセット補正情報を送信するので、優先ホーム基地局が選択されやすくなる度合いを調整できる。マクロ基地局は、全移動端末に共通の情報を報知すればよいので、通知する情報量を抑制できる。【００２５】
本発明のセル選択システムは、マクロ基地局と、複数のホーム基地局を有するネットワークにおいて移動端末によるセルの選択を制御するためのシステムであって、前記第マクロ基地局は、セル選択に用いるオフセット情報を前記移動端末に送信するオフセット情報送信部と、前記オフセット情報を補正するオフセット補正情報をブロードキャストにより前記移動端末に送信するオフセット補正情報送信部とを備え、前記移動端末は、前記マクロ基地局および前記ホーム基地局から送信された信号の受信品質を測定する受信品質測定部と、前記第マクロ基地局から前記オフセット情報を受信するオフセット情報受信部と、前記第マクロ基地局から前記オフセット補正情報を受信するオフセット補正情報受信部と、前記複数のホーム基地局のうち優先接続する少なくとも一つの優先ホーム基地局の情報を記憶する優先基地局情報記憶部と、前記優先ホーム基地局を検知したときに、前記オフセット情報を前記オフセット補正情報によって補正するオフセット情報補正部と、前記受信品質に、前記オフセット情報受信部にて受信したオフセット情報または前記オフセット情報補正部にて補正されたオフセット情報を加え、オフセット情報を加えた受信品質に基づいてセル選択を行うセル選択部とを備える。【００２６】
本発明のセル選択方法は、マクロ基地局と複数のホーム基地局を有するネットワークにおいて用いられる移動端末によるセル選択方法であって、セル選択に用いるオフセット情報を前記マクロ基地局から受信するステップと、前記マクロ基地局からブロードキャストにより送信される、前記オフセット情報を補正するオフセット補正情報を受信するステップと、前記複数のホーム基地局のうち優先接続する少なくとも一つの優先ホーム基地局の情報を優先基地局情報記憶部に記憶するステップと、前記マクロ基地局および前記ホーム基地局から送信された信号の受信品質を測定するステップと、前記優先ホーム基地局を検知したときに、前記オフセット情報を前記オフセット補正情報によって補正するステップと、前記受信品質に、前記マクロ基地局から受信したオフセット情報または前記オフセット補正情報によって補正されたオフセット情報を加え、オフセット情報を加えた受信品質に基づいてセル選択を行うステップとを備える。【００２７】
本発明のセル選択制御方法は、配下のセル内に複数のホーム基地局を含むマクロ基地局によって、移動端末のセル選択を制御する方法であって、セル選択に用いるオフセット情報を前記移動端末に送信するステップと、前記オフセット情報を補正するオフセット補正情報をブロードキャストにより前記移動端末に送信するステップとを備える。
【発明の効果】
【００２８】
本発明によれば、優先基地局情報記憶部に記憶された優先ホーム基地局が選択されやすくなる。基地局はオフセット補正情報を送信するので、優先ホーム基地局が選択されやすくなる度合いを調整でき、かつ通知される情報量を抑制できるというすぐれた効果を有する。【００２９】
以下に説明するように、本発明には他の態様が存在する。したがって、この発明の開示は、本発明の一部の提供を意図しており、ここで記述され請求される発明の範囲を制限することは意図していない。
【図面の簡単な説明】
【００３０】
【図１】図１は、第１の実施の形態の移動端末の構成を示す図
【図２】図２は、第１の実施の形態のマクロ基地局の構成を示す図
【図３】図３は、第１の実施の形態の移動端末およびマクロ基地局が適用されるネットワークの構成を示す図
【図４】図４は、第１の実施の形態のオフセット補正情報保持部に保持されたデータの例を示す図
【図５】図５は、第１の実施の形態のマクロ基地局により送信される報知情報の例を示す図
【図６】図６は、第１の実施の形態の移動端末の動作を示す図
【図７】図７は、第２の実施の形態のマクロ基地局の構成を示す図
【図８】図８は、第２の実施の形態のマクロ基地局により送信される報知情報の例を示す図
【図９】図９は、第２の実施の形態の移動端末の構成を示す図
【図１０】図１０は、第２の実施の形態の移動端末の動作を示す図
【図１１】図１１は、第３の実施の形態のオフセット補正情報保持部に保持されたデータの例を示す図
【発明を実施するための形態】
【００３１】
以下に、本発明の詳細な説明を述べる。以下に説明する実施の形態は本発明の単なる例であり、本発明は様々な態様に変形することができる。従って、以下に開示する特定の構成および機能は、請求の範囲を限定するものではない。
【００３２】
以下、本発明の実施の形態の基地局、移動端末およびセル選択方法について、図面を用いて説明する。なお、下記の各実施の形態では、小型基地局は3GPP  LTEシステムに対応したHome  eNBである例について、説明を行っているが、3GPP  UMTSシステムに対応したHome  NBにおいて、本発明を応用することもできる。この場合、移動端末はアイドル状態以外においてもセル選択を行うなどのシステム上の条件の差異にあわせて変更を加える必要があるが、この変更は当業者が行う設計変更として自明である。
【００３３】
（第１の実施の形態）
図１は、第１の実施の形態の移動端末１０の構成を示す図、図２はマクロ基地局３０の構成を示す図である。図１、図２を用いて、移動端末１０およびマクロ基地局３０について詳しく説明する前に、本実施の形態の移動端末１０およびマクロ基地局３０が適用されるネットワークについて説明する。
【００３４】
図３は、第１の実施の形態の移動端末１０およびマクロ基地局３０が適用されるネットワークの構成を示す図である。マクロ基地局３０が提供する広範囲のセルＣには、複数の小型基地局４０ａ〜４０ｃが設置されている。以下、小型基地局４０ａ〜４０ｃを総称する場合には、小型基地局４０という。各小型基地局４０ａ〜４０ｃは、独自のセルＣ１〜Ｃ３を提供している。マクロ基地局３０は、例えば、３ＧＰＰで規定されるｅＮＢであり、小型基地局は３ＧＰＰで規定されるＨｅＮＢであるが、これらに限定されるものではない。
【００３５】
小型基地局４０は、マクロ基地局３０の運用者とは異なる運用者によって運用されてもよいし、同じ運用者によって運用されてもよい。図３に示す例では、小型基地局４０ａは、ユーザ宅に設置され、小型基地局４０ｂはショッピングモールに設置され、小型基地局４０ｃは大学に設置されている。
【００３６】
移動端末１０は、マクロ基地局３０と通信可能であると共に、小型基地局４０とも通信可能である。なお、小型基地局４０が、移動端末１０との通信を許可していない場合には、通信を行うことができない。例えば、図３に示す例では、大学に設置された小型基地局４０は、大学の関係者以外の移動端末１０との通信を拒否することができる。
【００３７】
移動端末１０は、小型基地局４０の通信範囲内に入った場合には、マクロ基地局３０と小型基地局４０のうちで、接続品質の良い方を用いて通信を行うことができる。このように複数のセルのうちで、接続品質に基づいてセルを選択することをセル選択という。
【００３８】
［移動端末］
次に、図１を参照して、移動端末１０の構成について説明する。移動端末１０は、基本通信機能１２と、志向設定部１４と、小型基地局管理部１６と、オフセット情報補正処理部１８と、オフセット補正情報保持部２０と、オフセット情報保持部２２と、セル選択部２４とを有している。基本通信機能１２は、マクロ基地局およびホーム基地局からの信号の受信品質を測定する受信品質測定部１３を有している。なお、図１には示していないが、移動端末１０は、従来の移動端末と同様に、データ送受信部、基地局間のハンドオーバ機能部なども有する。以下、移動端末１０の各構成について説明する。
【００３９】
志向設定部１４は、ユーザが複数の小型基地局４０のうちのどの小型基地局４０に優先して接続したいかという志向を設定する機能を有する。ユーザの志向はユーザからの入力により受け付けてもよいし、アプリケーションソフトウェアなどで推定してもよい。志向設定部１４は、優先して接続する小型基地局４０のデータを小型基地局管理部１６に通知する。小型基地局管理部１６は、本発明の「優先基地局情報記憶部」の機能を有する。
【００４０】
小型基地局管理部１６は、移動端末１０が接続可能な小型基地局４０のＩＤのリストを記憶して管理する。このリストは、ネットワーク側から通知されるホワイトリストを管理する従来の移動端末の機能ブロックを拡張することによって構成してもよい。これにより、比較的簡単に小型基地局４０の情報を管理できる。
【００４１】
図４は、本実施の形態の小型基地局管理部１６が管理するリストの例を示す図である。図４に示すように、ホワイトリストの小型基地局４０のＩＤのリストに、志向設定部１４から通知される優先／非優先すると選定された小型基地局４０の情報を示すエントリを追加する。ここで、非優先とは、優先設定されていない基地局を意味する。以上により、ホワイトリストの小型基地局４０のＩＤとその優先／非優先の選定結果が関連づけて管理される。ユーザにより優先接続設定された小型基地局４０がホワイトリストに含まれていない場合は、設定された小型基地局４０の情報を破棄する処理を行ってもよいし、あるいは、ホワイトリストに小型基地局４０の情報を追加する処理を行ってもよい。
【００４２】
オフセット情報保持部２２は、セル選択を行う際に用いるオフセット情報を保持する。オフセット情報は、マクロ基地局３０から送信される。オフセット情報保持部２２は、従来の移動端末１０が有する情報保持部に小型基地局４０用の保持領域を追加することによって構成してもよい。オフセット情報保持部２２の内容は、オフセット情報を含む報知情報を受信したときや、オフセット情報を再受信した場合等に更新される。オフセット情報保持部２２は、一定の時間経過や、マクロ基地局３０の変更などの条件により、内容を破棄するよう設定されていてもよい。
【００４３】
オフセット補正情報保持部２０は、報知情報に含まれるオフセット補正情報を保持する。オフセット補正情報保持部２０は、移動端末１０がオフセット補正情報を再受信した場合等に更新される。オフセット補正情報保持部２０は、一定の時間経過や、マクロ基地局３０の変更などの条件により、内容を破棄するように設定されていてもよい。
【００４４】
オフセット情報補正処理部１８は、セル選択の候補の小型基地局４０に対して優先接続の設定が行われている場合に、セル選択の判断に用いるオフセット情報を補正する機能を有する。オフセット情報補正処理部１８は、移動端末１０が小型基地局４０へのセル選択を行うために通信品質測定を開始すると、小型基地局管理部１６に保持されたデータを参照して、対象となる小型基地局４０に優先接続の設定がなされているかどうかを確認する。優先接続の設定がなされている場合には、オフセット情報補正処理部１８は、オフセット情報保持部２２から読み出したオフセット情報を、オフセット補正情報保持部２０から読み出したオフセット補正情報によって補正する。オフセット情報補正処理部１８は、補正後のオフセット情報をセル選択部２４に入力し、補正後のオフセット情報を用いてセル選択を行うようにセル選択部２４を制御する。対象となる小型基地局４０に優先接続の設定がなされていない場合は、オフセット情報保持部２２に保持されたオフセット情報を用いてセル選択を行うようにセル選択部２４を制御する。
【００４５】
小型基地局４０のＩＤは、移動端末１０により検出可能な小型基地局４０の間でユニークであることが望ましい。そのため、例えば、小型基地局４０から通知される報知情報に含まれる小型基地局４０のＩＤを受信することにより、小型基地局４０をユニークに特定できるようにする。
【００４６】
小型基地局４０をユニークに特定できるようにする場合は、品質測定開始時（接続セルの選択手順開始時）に前もって、測定対象（セル選択対象）となる小型基地局４０の報知情報を確認するなどして、その小型基地局４０をユニークに特定できる情報を受信しておくこともできる。また、複数のＩＤ構造やその他の情報を組み合わせて、小型基地局４０をユニーク、もしくは、高精度に識別できるようにしてもよい。例えば、小型基地局４０をユニークに特定できるＩＤと重複使用が可能なＩＤに、その位置の情報（マクロ基地局のＩＤなどでもよい）を関連付けることで、重複が可能なＩＤのみを受信したときも、その位置の情報から、高精度に小型基地局４０をユニークに特定できるＩＤを導き出すようにしてもよい。
【００４７】
セル選択部２４は、マクロ基地局３０や小型基地局４０等から信号の受信品質の測定結果を元にセル選択を行う機能を有する。本実施の形態のセル選択部２４は、オフセット情報補正処理部１８から指定された小型基地局４０に関しては、補正されたオフセット情報を用いてセル選択を行う。
【００４８】
［マクロ基地局］
次に、図２を参照して本実施の形態のマクロ基地局３０の構成について説明する。マクロ基地局３０は、基本通信機能３２と、オフセット生成部３４とを有している。なお、図２には示していないが、マクロ基地局３０は、従来のマクロ基地局３０と同様に、データ送受信部、受信品質測定のための設定情報（オフセット情報を含む）通知機能、ホワイトリスト通知機能、ハンドオーバ決定機能なども有する。
【００４９】
オフセット生成部３４は、小型基地局４０へのセル選択に用いられるオフセット情報を生成し、移動端末１０に通知する機能を有する。ここで、「オフセット情報」は、ユーザによる優先接続設定がなされていない小型基地局４０へのオフセット情報である。このオフセット情報は、各マクロ基地局３０が設定する値であり、マクロ基地局３０が形成するセルＣにおいて適切な値となるように制御されている。オフセット情報の適用対象は、セル内のすべての移動端末１０であり、内容はセル内の小型基地局４０全体に対するオフセット情報である。従って、オフセット情報には、移動端末１０のＩＤや小型基地局４０のＩＤが必要なく、比較的小さなデータ量で報知できる。
【００５０】
本実施の形態では、オフセット生成部３４は、オフセット補正情報生成部３６を有している。オフセット補正情報生成部３６は、オフセット補正情報を生成し、移動端末１０に通知する機能を有する。オフセット補正情報は、優先接続の設定がなされている小型基地局４０が選択されやすくなるようにオフセット情報を補正する情報であって、許容可能な補正量を示す。オフセット補正情報もまた、各マクロ基地局３０において設定される値であり、マクロ基地局３０が形成するセルにおいて適切な値となるように制御されている。オフセット補正情報の適用対象は、セル内のすべての移動端末１０であり、内容は移動端末１０が選定した任意の小型基地局４０に対するオフセット補正情報である。従って、オフセット補正情報には、移動端末１０のＩＤや小型基地局４０のＩＤが必要なく、比較的小さなデータ量で報知できる。
【００５１】
マクロ基地局３０は、オフセット情報およびオフセット補正情報を、ブロードキャストによってセル内に存在する移動端末１０に一斉に送信する。
【００５２】
次に、本実施の形態の移動端末１０およびマクロ基地局３０の動作について説明する。以下の説明では、マクロ基地局３０のセル内に存在する移動端末１０が小型基地局４０のセルを検出した場合にセル選択を行う例について説明する。
【００５３】
図５は、マクロ基地局３０により送信される報知情報の例を示す図である。マクロ基地局３０は、オフセット情報およびオフセット補正情報を含む報知情報を、ブロードキャストにより送信する。図５に示す例では、オフセット補正情報は、オフセット情報の追加情報として、受信品質測定のための設定情報に含めて報知される。この報知情報としては、例えば、ＳＩＢ４（System  Information  Block  4）を用いることができる。オフセット補正情報は、オフセット情報の追加情報とせずに、別途、マクロ基地局３０からの報知情報の中の受信品質測定のための設定情報の中に含めて報知してもよい。
【００５４】
図６は、移動端末１０の動作を示す図である。移動端末１０は、まず、ユーザからの志向設定を受け付ける（Ｓ１０）。具体的には、ユーザが優先して接続したい小型基地局４０の設定を受け付け、設定された小型基地局４０のＩＤを保存する。すなわち、移動端末は、図４に示すとおり、小型基地局４０のＩＤのリストに対象の小型基地局４０を優先して接続する旨を示す情報を保存する。本実施の形態では、ユーザからの入力を受けて、優先して接続したい小型基地局４０の設定を行う例について説明しているが、別の方法により、小型基地局４０のＩＤのリストに優先接続設定を保存してもよい。例えば、ユーザの自宅に設置されたホーム基地局に対しては、ユーザからの入力がなくとも優先接続を行う旨を設定してもよい。小型基地局４０の対象とするユーザの属性（例えば、年齢層等）を有している場合には、小型基地局４０の属性と移動端末１０のユーザ属性とを比較して、ユーザの属性が合致する小型基地局４０に対して優先接続の設定をしてもよい。
【００５５】
移動端末１０は、マクロ基地局３０から送信されるオフセット情報およびオフセット補正情報を受信し（Ｓ１２）、受信したオフセット情報をオフセット情報保持部２２に保持し、オフセット補正情報をオフセット補正情報保持部２０に保持する。
【００５６】
移動端末１０は、周辺基地局の受信品質を測定し、測定した基地局の基地局ＩＤを報知情報から受信する（Ｓ１４）。移動端末１０は、受信した報知情報から報知情報の送信元の基地局が、小型基地局４０であるか否かを判定する（Ｓ１６）。隣接セルの基地局が小型基地局４０でない場合（Ｓ１６でＮＯ）には、マクロ基地局３０から別のマクロ基地局３０へのセル選択となるので、移動端末１０は、従来のセル選択の手法により処理を行う。
【００５７】
報知情報の送信元の基地局が、小型基地局４０である場合（Ｓ１６でＹＥＳ）、移動端末１０は、小型基地局管理部１６に管理されているデータに基づいて、報知情報の送信元の基地局のＩＤが優先接続設定された基地局のＩＤと一致するか否かを判定する（Ｓ１８）。この結果、基地局のＩＤが一致する場合には（Ｓ１８でＹＥＳ）、移動端末１０は、オフセット情報保持部２２に保持されたオフセット情報を、オフセット補正情報保持部２０に保持されたオフセット補正情報によって補正する（Ｓ２０）。基地局のＩＤが一致しない場合には（Ｓ１８でＮＯ）、オフセット情報の補正を行わずに、次の処理に進む。
【００５８】
移動端末１０は、セル選択の候補となる各セルの受信品質に、オフセット情報保持部２２から読み出したオフセット情報またはオフセット情報補正処理部１８にて補正されたオフセット情報を加えて、測定値を決定する（Ｓ２２）。移動端末１０は、オフセット後の測定値に基づいてセルの選択を行う（Ｓ２４）。以上、第１の実施の形態の移動端末１０およびマクロ基地局３０について説明した。測定される受信品質としては、既知の信号（例えば参照信号又はパイロット信号）の受信電力などが用いられる。
【００５９】
本実施の形態の移動端末１０はユーザにより優先接続設定がなされた小型基地局４０に対するセル選択時に、オフセット補正情報を用いてオフセット情報を補正する。これにより、移動端末１０は、マクロ基地局３０に対し、特定の小型基地局４０をどの程度優先したいか交渉することなく、ユーザの志向に基づく特定の小型基地局４０への優先度設定に基づくセル選択を行うことができる。
【００６０】
本実施の形態のマクロ基地局３０は、オフセット情報を補正するオフセット補正情報を送信しているので、基本的な設定基準として、移動端末１０が設定できる優先度の程度を制御することができる。
【００６１】
上述したとおり、オフセット情報およびオフセット補正情報は、全移動端末１０および全小型基地局４０に共通であり、移動端末１０のＩＤや小型基地局４０のＩＤが必要ないので、報知情報の情報量を抑制することができる。
【００６２】
上記した第１の実施の形態において、移動端末１０の志向設定部１４にて優先接続の設定を受け付ける小型基地局４０の個数の上限値を設けることとしてもよい。この上限値は、移動端末１０にプリセットして記憶しておいてもよい。また、通信中にマクロ基地局３０が、上限値の情報を移動端末１０に通知し、移動端末１０は、マクロ基地局３０から通知された情報を受信して記憶することとしてもよい。マクロ基地局３０から通知する場合には、状況に応じて通知してもよい。この通知の方法は、報知情報を用いてもよく、個別通知を行ってもよい。
【００６３】
マクロ基地局３０から上限値を通知する構成とした場合、例えば、一定期間、同一マクロ基地局３０内などの条件の下、オフセット補正情報をオフセット情報に適用できる小型基地局４０の数に上限値を設け、事前もしくは制御が必要な状態になった場合に、移動端末１０に対して、上限値を設定することができる。これにより、マクロ基地局３０の形成するセル内において通常よりも送信電力を強めた送信を行う移動端末１０（セル内の干渉の要因）を管理できるようになる。
【００６４】
（第２の実施の形態）
次に、本発明の第２の実施の形態の移動端末１０ａおよびマクロ基地局３０ａについて説明する。第２の実施の形態においては、マクロ基地局３０ａは、優先接続設定に基づくセル選択を許可するタイミングを制御する。
【００６５】
図７は、第２の実施の形態のマクロ基地局３０ａの構成を示す図である。第２の実施の形態のマクロ基地局３０ａは、第１の実施の形態のマクロ基地局３０の構成に加え、使用可否情報生成部３８を有している。
【００６６】
使用可否情報生成部３８は、現時点のセルの運用状況や、ネットワーク側からの制御により、移動端末１０ａが小型基地局４０へのセル選択に際して、オフセット情報をオフセット補正情報によって補正してもよいかどうかを判断する機能と、その判断結果に基づいて、使用可能／使用禁止の状態を通知するための使用可否情報を生成し、移動端末１０ａに対して通知する機能を有する。
【００６７】
使用可否情報は、１ビットから数ビットのフラグ情報で、この使用可否情報を用いて、その時々のオフセット補正情報の使用可否を表示する。この使用可否情報は、例えば、移動端末１０ａが強い送信電力で送信した場合の干渉が、許容できる範囲内の状況であることから判断して、オフセット補正情報を使用可能である旨を示した使用可否情報を設定したり、現在のマクロ基地局３０ａが形成するセル内の小型基地局４０がマクロ基地局３０ａと異なる周波数帯で運用されているために、干渉の影響をあまり受けることがないことから判断して、オフセット補正情報を使用可能である旨を示した使用可否情報を設定したりできる。このような状況は、時間や環境によって異なると考えられるので、マクロ基地局３０ａごとに別々のタイミングで、独自に設定できることが望ましい。使用可否情報生成部３８は、ネットワーク側からの制御の頻度、即応性の必要に応じた周期で、使用可否情報を継続的に報知する。
【００６８】
図８は、マクロ基地局３０ａにより送信される報知情報の例を示す図である。第２の実施の形態のマクロ基地局３０ａは、使用可否情報を短周期の報知情報の中の受信品質測定のための設定情報に含めて送信する。短周期の報知情報としては、例えば、ＳＩＢ１を用いることができる。
【００６９】
図９は、第２の実施の形態の移動端末１０ａの構成を示す図である。第２の実施の形態の移動端末１０ａの基本的な構成は第１の実施の形態の移動端末１０と同じであるが、第２の実施の形態では、オフセット情報補正処理部１８は使用可否確認部２６を有している。
【００７０】
使用可否確認部２６は、オフセット情報補正処理部１８において小型基地局管理部１６を参照して優先／非優先の補正を行うように選定されているかどうかを確認する際に、報知情報に含まれる使用可否情報の状態を確認し、使用しようとしているオフセット補正情報を現時点で使用してよいかどうか判断する機能を有する。その結果、オフセット補正情報の使用が許可されている場合は、オフセット情報補正処理部１８にて補正したオフセット補正情報を用いてセル選択を行い、許可されていない場合は、オフセット情報保持部２２に保持されたオフセット情報を用いてセル選択を行う。
【００７１】
図１０は、第２の実施の形態の移動端末１０ａの動作を示す図である。第２の実施の形態の移動端末１０ａの基本的な動作は、第１の実施の形態の移動端末１０の動作と同じであるが、オフセット補正情報を使用してよいか否かの使用可否の判定を行う処理が追加されている（Ｓ１７）。使用可否の判定を行う処理では、移動端末１０ａは、短周期の報知情報（システム情報）から使用可否情報を取得し、取得した使用可否情報に基づいてオフセット補正情報の使用が許可されているか否かを判定する。使用許可されている場合には、必要に応じて、オフセット情報、およびオフセット補正情報を、更新のために取得するようにしてもよい。
【００７２】
なお、図１０に示す例では、オフセット補正情報の使用可否の判定を、基地局ＩＤの判定の前に行う例を示しているが、使用可否の判定は、基地局ＩＤの判定（Ｓ１８）の後に行ってもよい。
【００７３】
第２の実施の形態のマクロ基地局３０ａは、ユーザの志向に応じた優先接続を許可するか否かを使用可否情報によって通知し、移動端末１０ａは、この使用可否情報に基づいて優先接続を行うか否かを決定している。これにより、マクロ基地局３０ａの運用者（例えば、モバイルオペレータ）は、移動端末１０ａがセル選択を行う時点における状況に応じて、優先接続を許可するか否かを制御することができる。
【００７４】
例えば、マクロ基地局３０ａに比べて、小型基地局４０への接続をより優先するということは、移動端末１０ａと小型基地局４０との通信において、通常（優先的な接続がない場合）に比べて電波の干渉や小型基地局４０までの距離が比較的離れているなど、通信品質の悪い状況下でも接続される可能性、すなわち、移動端末１０ａからの送信が行われる可能性がある。従って、移動端末１０ａは、十分な通信品質を確保するために、小型基地局４０に対して、送信電力を上げて通信する必要があるかもしれない。小型基地局４０の形成するセルは、マクロ基地局３０ａの形成するセルに包含される場合が多いため、小型基地局４０に接続するために移動端末１０ａが送信電力を上げて送信することは、周辺に存在する他のマクロ基地局３０ａに接続している（小型基地局４０には接続しようとしていない）移動端末１０ａにとっては、干渉、雑音の要素が増すことになる。このことはマクロ基地局３０ａの形成するセルにおいてのシステムのパフォーマンスを低下させることにつながるので、ネットワーク側の運用面での判断において状況に応じた制御ができることが望ましい。
【００７５】
使用可否情報を用いた制御により、例えば、夜間住宅街で許可、日中に干渉制御を優先するといった制御を行うことができる。住宅街をカバーするマクロ基地局３０ａにおいて、時間帯に応じて使用可否を制御することによって、ユーザの活動状態（屋外にいるユーザ数など）に合わせて、きめ細かい制御が可能になる。ユーザの活動が活発な場合には、干渉制御を優先し、マクロ基地局３０ａの形成するセルＣに接続している移動端末１０ａに大きな影響を与えないようにオフセット補正情報の使用を抑制する使用可否情報を生成通知したり、ユーザの活動が安定している場合には、自宅の小型基地局４０への接続がより容易になるように、オフセット補正情報の使用を許可する使用可否情報を生成通知したりできる。深夜などは、ユーザの活動は活発ではなく、アクティブな接続も少ないことから、移動端末１０ａをマクロ基地局３０ａに接続させ、個別の小型基地局４０を省電力や待機状態にできるよう使用可否情報を制御してもよい。
【００７６】
（第３の実施の形態）
次に、本発明の第３の実施の形態の移動端末１０およびマクロ基地局３０について説明する。第３の実施の形態の移動端末１０およびマクロ基地局３０の基本的な構成は、第１の実施の形態の移動端末１０およびマクロ基地局３０の構成と同じであるが、第３の実施の形態においては、複数種類のオフセット補正情報を有する。複数種類のオフセット補正情報はそれぞれ、優先度に応じて異なる接続のしやすさを実現する補正情報である。
【００７７】
図１１は、第３の実施の形態の移動端末１０の小型基地局管理部１６に管理された小型基地局４０のリストの例を示す図である。図１１に示すように、小型基地局４０のＩＤに関連付けて「第１優先」「第２優先」「−」の優先度の異なる３種類の優先度が設定されている。「第１優先」で示される小型基地局４０に対しては、最も優先して接続されやすくするためのオフセット補正情報が適用され、「第２優先」で示される小型基地局４０に対しては２番目に優先して接続されやすくするためのオフセット補正情報が適用される。「−」で示される小型基地局４０に対しては、オフセット補正情報は適用されない。
【００７８】
マクロ基地局３０は、オフセット情報に加え、「第１優先」「第２優先」に適用されるそれぞれのオフセット補正情報の情報を移動端末１０に通知する。移動端末１０は、報知されているオフセット情報をそのまま使用する場合を含め、３段階の接続しやすさを志向設定に基づいて選定された小型基地局４０に割り当てる。なお、本実施の形態では、３段階の接続しやすさの度合いを有する例を挙げているが、接続しやすさの度合いは何段階であってもよい。
【００７９】
第３の実施の形態においては、図１１に「忌避（avoidance）」で示すように、接続しにくい小型基地局４０が設定されている。言い換えると、非優先に設定される小型基地局４０が設定されている、あるいは、優先度が低位設定される小型基地局４０が設定されているとも言える。本実施の形態では、「忌避」で示される小型基地局４０に接続しにくくするように、オフセット情報の補正を行う。この場合のオフセット補正情報は、小型基地局４０に接続しやすくするためのオフセット補正情報とは逆方向のシフトを行う情報である。
【００８０】
第３の実施の形態の移動端末１０およびマクロ基地局３０は、小型基地局４０への接続しやすさを段階的に設定できるので、小型基地局４０の運用者や属性等に応じてきめ細かい制御を行うことが可能となる。
【００８１】
例えば、大学キャンパスや、集合住宅街など広範囲に複数の小型基地局４０を配置し、さらに特定の小型基地局４０が特定の移動端末１０の拠点となるような場合に有用である。大学キャンパスの場合、マクロ基地局３０が形成するセルＣ内において、大学キャンパス外の小型基地局４０との違い（志向設定）を反映するために、オフセット補正情報（第２優先）を適用したオフセット情報を用いることで実現する。特定の学生の移動端末１０は、在籍する学部棟への接続を更に優先するために大学キャンパス内の小型基地局４０間の違い（志向設定）を反映するために、オフセット補正情報（第１優先）を適用したオフセット情報を用いることで実現する。このようなオフセット補正情報の使用方法においても、共用棟での講義時間帯は共用棟の小型基地局４０を第１優先と変更するなど、ユーザの志向設定の変化に即座に対応できることが有用である。
【００８２】
このように、時間帯、場所、使用者に応じて志向設定を反映できることは小型基地局４０の設置者にとっても有用である。例えば、オフセット補正情報（第２優先）はマクロ基地局３０が報知する通常のオフセット補正情報を用い、その後に、移動端末１０が大学キャンパス内の小型基地局４０に接続した時点で、小型基地局４０がオフセット補正情報（第１優先）に相当する情報を（新たに／追加で）通知する、この方法によれば、細かな制御を大学キャンパスの小型基地局４０設置者が制御することも可能となるかもしれない。マクロ基地局３０への影響が管理されている範囲内で、小型基地局４０ごとの差異を設定できるようにモバイルオペレータが設定手段を提供することは、小型基地局４０の設置者にとっての利便性を高めることになる。さらに、細かな制御に要するオフセット補正情報をマクロ基地局３０が通知するリソース消費に比べて、大学キャンパス内の小型基地局４０が（追加の）オフセット補正情報を通知することで、全体としてのリソース消費が低減できるというマクロ基地局３０側（モバイルオペレータ側）の利点もある。
【００８３】
また、小型基地局へ接続しにくくする「忌避」の設定を行うことにより、ユーザのニーズに合わせた制御を行うことが可能である。例えば、ユーザの志向設定として、オフィスなどの特定の目的地に移動している際には、目的地であるオフィスの小型基地局４０に対して、より接続しやすくするためのオフセット補正情報を適用したオフセット情報を使用するが、その経路上にあるホットスポットのようなサービスを行っている商店などの小型基地局４０が検出されるたびに接続してしまうことを避けるため、それらの小型基地局４０に対してはより接続しにくくするための「忌避」のオフセット補正情報を適用したオフセット情報を使用することが考えられる。ユーザの帰宅時などには志向設定として、ホットスポットのようなサービスを行っている商店などの小型基地局４０へのより接続しにくくするためのオフセット補正情報を解除することで、通常の状態に戻すことができる。
【００８４】
このような方法は、自動車、列車などを用いてユーザが移動しているような場合で、一時的な停車などにより、ネットワーク側で行う移動速度などのみを用いた接続先判定ではユーザの意図していない（単なる通過地点である）小型基地局４０に接続してしまうことなどを防ぎたいような場合にも有効である。
【００８５】
この場合の使用可否情報の扱い方は接続しやすくするオフセット補正情報のみの場合とは異なる場合がある。例えば、使用可否情報を干渉制御の目的で行っている場合は、接続しにくくするためのオフセット補正情報をオフセット情報に適用しても干渉を増大させることにはならない。このような場合は、複数のレベルを持つ使用可否情報の場合と同様に、使用可否情報も区別して通知することが望ましい。別の方法としては、使用可能および、使用禁止の意味する内容を、接続しやすい状態へのオフセット情報補正可能および、接続しにくい状態へのオフセット情報補正可能と規定することで制御することもできる。
【００８６】
以上、第３の実施の形態について説明したが、上記した第３の実施の形態においても、第１の実施の形態と同様に、オフセット補正情報を適用可能な小型基地局４０の個数の上限値を設定することとしてもよい。この場合、優先度ごとに上限値を決定してもよい。
【００８７】
第３の実施の形態に、上記した第２の実施の形態の使用可否情報の構成を適用することも可能である。この場合、優先度の異なる複数のオフセット補正情報のうち、どのオフセット補正情報まで使用を許可し、どのオフセット補正情報からは許可しないというように優先度に応じて使用可否を制御することも可能である。
【００８８】
複数のオフセット補正情報が通知される場合には、移動端末１０が送信電力を上げて通信する必要がある場合に及ぼすマクロ基地局３０への影響も異なる。より接続しやすい設定にすることは、対象となる小型基地局４０への送信電力がより必要となる電波状況においても移動端末１０が接続を行うということに相当するので、使用可否の制御も、オフセット補正情報（第２優先）まで使用許可とする状況や、オフセット補正情報（第１優先）まで使用許可とする状況など段階的に制御できるようになっていることが望ましい。
【００８９】
（第４の実施の形態）
次に、本発明の第４の実施の形態の移動端末およびマクロ基地局について説明する。上記した第１〜第３の実施の形態においては、全移動端末１０および全小型基地局４０に共通のオフセット情報およびオフセット補正情報を用いる例について説明したが、第４の実施の形態においては、マクロ基地局３０は、全移動端末１０に共通のオフセット情報を送信すると共に、移動端末１０個別の設定を反映した小型基地局４０毎に異なるオフセット補正情報を送信する。
【００９０】
第４の実施の形態の移動端末１０およびマクロ基地局３０の基本的な構成は、第１の実施の形態の移動端末１０およびマクロ基地局３０の構成と同じである。移動端末１０は、ユーザの志向設定の変更に応じて、設定変更に係る小型基地局４０へのオフセット情報の変更を要求する。ネットワーク側はマクロ基地局３０を介して、移動端末１０が小型基地局４０の接続判定に使用するオフセット情報を報知する。ネットワーク側はマクロ基地局３０を介して、それぞれの移動端末１０に対してそれぞれの小型基地局４０の接続判定時に補正するオフセット補正情報の一覧を個別に通知する。
【００９１】
移動端末１０は、小型基地局４０を発見したときに、マクロ基地局３０から受信したオフセット情報を、発見した小型基地局４０に対応するオフセット補正情報で補正した値を用いてセルの選択を行う。
【００９２】
（第５の実施の形態）
次に、本発明の第５の実施の形態の移動端末およびマクロ基地局について説明する。上記した第１〜第３の実施の形態においては、全移動端末１０および全小型基地局４０に共通のオフセット情報およびオフセット補正情報を用いる例について説明したが、第５の実施の形態においては、マクロ基地局３０は、移動端末１０個別の設定を反映し、小型基地局４０毎に異なるオフセット情報を送信する共に、全移動端末１０に共通のオフセット補正情報を送信する。
【００９３】
第５の実施の形態の移動端末１０およびマクロ基地局３０の基本的な構成は、第１の実施の形態の移動端末１０およびマクロ基地局３０の構成と同じである。ネットワーク側は、マクロ基地局３０を介して、それぞれの小型基地局４０の接続判定に使用するオフセット情報と対応する小型基地局４０のＩＤの一覧を報知する。ネットワーク側は、マクロ基地局３０を介して、それぞれの移動端末１０が小型基地局４０の接続判定時に補正するオフセット補正情報を個別に通知する。
【００９４】
移動端末１０は、小型基地局４０を発見した際は、マクロ基地局３０から受信したオフセット情報と、発見した小型基地局４０に対応するオフセット補正情報を用いてセルの選択を行う。
【００９５】
（第６の実施の形態）
次に、本発明の第６の実施の形態の移動端末１０ａについて説明する。上記した第２の実施の形態においては、全移動端末１０ａおよび全小型基地局４０のセルに使用可否情報を適用する例について説明したが、第６の実施の形態においては、小型基地局４０のセル個別に干渉を考慮してオフセット情報およびオフセット補正情報の使用の可否を設定することで、小型基地局４０のセル毎にオフセットの情報およびオフセット補正情報の適用の可否を設定する。
【００９６】
オフセット情報およびオフセット補正情報の設定方法の例として、小型基地局４０のセルから報知されるintra-frequency  cell  reselection  indicator(IFRI)ビットと呼ばれる情報の値を基準にして設定することが考えられる。IFRIビットとは、移動端末１０ａにとって受信品質の最も良い小型基地局４０のセルが、移動端末１０ａにとってアクセス許可がない場合に、移動端末１０ａをどのセルに対してセル選択させるかを指示する情報である。例えば、検出したセルの中で最も受信品質の良い小型基地局４０のセルに対して移動端末１０のアクセス許可がない場合に、移動端末１０ａはそのセルの報知情報に含まれるIFRIビットを参照する。移動端末１０ａは、IFRIビットの内容を使用可否確認部２６によって確認する。IFRIビットが“allowed”の場合、移動端末１０ａは現在使用している周波数を変更せずに同一周波数内の他の受信品質の良いセルに対してセル選択することになる。この場合には、上り回線および下り回線の干渉が問題になるため、オフセット情報およびオフセット補正情報を使用禁止にすることで、上り回線および下り回線の干渉の増大を軽減することが可能となる。一方、IFRIビットが“non-allowed”の場合、移動端末１０ａは現在使用している周波数を変更して、別の周波数のセルに対してセル選択することになる。この場合は干渉の影響は少ないため、オフセット情報およびオフセット補正情報を使用可能とする。本実施の形態により、小型基地局４０のセル毎に、より柔軟に干渉を考慮したオフセット制御が可能になる。
【００９７】
第６の実施の形態の移動端末１０ａの基本的な構成は、第２の実施の形態の移動端末１０ａの構成と同じである。第６の実施の形態のマクロ基地局の基本的な構成は、第１の実施の形態のマクロ基地局３０と同じである。小型基地局４０は、報知情報としてIFRIビットを送信している。
【００９８】
以上、本発明の移動端末およびマクロ基地局について実施の形態を挙げて詳細に説明したが、本発明は上記した実施の形態に限定されるものではない。
【００９９】
異なる小型基地局４０は、異なる周波数帯で運用されている場合がある。この場合、セル選択先となる小型基地局４０が現在接続している基地局と同一周波数帯で運用されているか、異なる周波数帯で運用されているかによって、セル選択のしやすさを変えてセル選択の制御を行う必要があることが考えられる。このような場合に、オフセット補正情報を同一周波数帯／異周波数帯の優先度分を変化させる情報として用いることで、容易に制御できる。例えば、報知されるオフセット情報は、同一周波数帯で運用されている小型基地局４０で使用するためのオフセット情報であるとし、異周波数帯で運用されている小型基地局４０で使用する場合は、まず、オフセット補正情報によってオフセット情報を補正し、得られた補正済みのオフセット情報を使用するようにできる。
【０１００】
このオフセット補正情報は、上述のユーザの志向設定に基づいて選定された小型基地局４０に適用するオフセット補正情報とは別に（区別できるようにして）通知し、それぞれ独立して補正を適用できるようにしてもよい。
【０１０１】
このようにして、同一周波数帯／異周波数帯の優先制御のためにオフセット補正情報を用いることで、優先制御を容易に行うことができ、また、小型基地局４０が状況に応じて運用する周波数帯を変えたような場合でも柔軟に対応できるようになる。
【０１０２】
なお、オフセット補正情報は、マクロ基地局３０ごとに異なる設定であることが考えられる。例えば、オフセット情報がマクロ基地局３０ごとに異なっていたり、マクロ基地局３０の形成するセル内の小型基地局４０に応じて（セルごとにどのような小型基地局４０が存在するかは異なるため）適切な値に設定するため、移動端末１０はマクロ基地局３０を変更するたびに読み直す（受信し直す）情報要素として格納することが望ましい。
【０１０３】
オフセット補正情報は、時間帯によっては異なる設定が報知されることが考えられるので、移動端末１０側とネットワーク側でデータ伝送を行っていない状態（アイドル状態）であっても、移動端末１０は一定時間が経過した場合は、オフセット補正情報を読み直す（受信し直す）ことが望ましい。
【０１０４】
ネットワーク側において、使用可能の状態（使用可否情報の状態）を維持しつつもオフセット補正情報の補正量を変更したい場合などは、マクロ基地局３０は任意のタイミングでオフセット補正情報を変更し、変更した新しい値を受信し直すように移動端末１０に対して指示できるよう、例えば、ページングの送信（移動端末１０は受信）ができるようになっていることが望ましい。
【０１０５】
上述の大学キャンパスの使用例などでも示したように、移動端末１０が現在接続中の小型基地局４０から別の小型基地局４０にセル選択する場合や、移動端末１０が小型基地局４０からマクロ基地局３０にセル選択する場合に備えて、小型基地局４０がマクロ基地局３０とは別のオフセット情報及びオフセット補正情報を送信し、移動端末１０はそれらを受信し、更新もしくは小型基地局４０から受信したオフセット情報及びオフセット補正情報として格納し使用できるようになっていてもよい。これにより、小型基地局４０間のセル選択に別のセル選択傾向を付加したり、ユーザの小型基地局４０における滞在に関する志向設定を反映したり、同一周波数帯／異周波数帯を区別するときオフセット補正情報の追加を小型基地局４０から行ったりできるようになる。
【０１０６】
報知、個別通知は、複数の移動端末１０をまとめたグループ単位のグループ通知（マルチキャストなど）を用いてもよい。
【０１０７】
上記した第１〜第３の実施の形態では、オフセット情報およびオフセット補正用情報をブロードキャストにより送信する例について説明したが、オフセット情報およびオフセット補正情報の両方またはいずれか一方をユニキャストにより個別に通知することとしてもよい。
【０１０８】
上記した実施の形態では、オフセット補正情報はオフセット情報を加減算することでその値をシフトすることを前提として説明したが、オフセット情報自体を置き換える情報を通知することもできる。すなわち、優先接続を行う場合の第１のオフセット情報と、優先接続をしない場合の第２のオフセット情報を通知してもよい。優先の度合いを段階的に変えたい場合には、第１のオフセット情報、第２のオフセット情報、第３のオフセット情報・・・というように複数のオフセット情報を送信してもよい。この場合は、通知する情報の量が増加するが、適用するオフセットそのものが通知されるので、移動端末でのオフセット情報の変更のための構成が簡素になる。
【０１０９】
移動端末は、複数の通信デバイスから構成されるものであってもよく、例えばパーソナルコンピュータなどの電子計算機に外挿型あるいは組み込み型の３ＧＰＰ通信用デバイスモジュールや非３ＧＰＰ通信デバイスモジュールを装着する場合などがあり、こうした多様な移動端末においても本発明は同等の効果を有するものである。
【０１１０】
上記の本発明の実施の形態の説明で用いた各機能ブロックは、典型的には集積回路であるＬＳＩ（Large  Scale  Integration）として実現される。これらは個別に１チップ化されてもよいし、一部又はすべてを含むように１チップ化されてもよい。ここでは、ＬＳＩとしたが、集積度の違いにより、ＩＣ（Integrated  Circuit）、システムＬＳＩ、スーパーＬＳＩ、ウルトラＬＳＩと呼称されることもある。
【０１１１】
集積回路化の手法はＬＳＩに限るものではなく、専用回路又は汎用プロセッサで実現してもよい。ＬＳＩ製造後に、プログラムすることが可能なＦＰＧＡ（Field  Programmable  Gate  Array）や、ＬＳＩ内部の回路セルの接続や設定を再構成可能なリコンフィギュラブル・プロセッサを利用してもよい。
【０１１２】
さらには、半導体技術の進歩又は派生する別技術によりＬＳＩに置き換わる集積回路化の技術が登場すれば、当然、その技術を用いて機能ブロックの集積化を行ってもよい。例えば、バイオ技術の適応などが可能性としてあり得る。
【０１１３】
以上に現時点で考えられる本発明の好適な実施の形態を説明したが、本実施の形態に対して多様な変形が可能なことが理解され、そして、本発明の真実の精神と範囲内にあるそのようなすべての変形を添付の請求の範囲が含むことが意図されている。
【産業上の利用可能性】
【０１１４】
以上説明したように、本発明は、優先ホーム基地局が選択されやすくなる度合いを調整できるというすぐれた効果を有し、広域エリアをカバーするセルの、広域エリア内に存在する複数のセルとを有するネットワークにおいてセル選択の制御を行う移動端末またはマクロ基地局等として有用である。
【符号の説明】
【０１１５】
１０，１０ａ  移動端末
１２  基本通信機能
１４  志向設定処理部
１６  小型基地局管理部
１８  オフセット情報補正処理部
２０  オフセット補正情報保持部
２２  オフセット情報保持部
２４  セル選択部
２６  使用可否情報確認部
３０，３０ａ  マクロ基地局
３２  基本通信機能
３４  オフセット生成部
３６  オフセット補正情報生成部
３８  使用可否情報生成部
４０ａ〜４０ｃ  小型基地局
【図１】
2010032351.tif 000003
【図２】
2010032351.tif 000004
【図３】
2010032351.tif 000005
【図４】
2010032351.tif 000006
【図５】
2010032351.tif 000007
【図６】
2010032351.tif 000008
【図７】
2010032351.tif 000009
【図８】
2010032351.tif 000010
【図９】
2010032351.tif 000011
【図１０】
2010032351.tif 000012
【図１１】
2010032351.tif 000013
【手続補正書】
【提出日】平成22年11月30日(2010.11.30)
【手続補正１】
【補正対象書類名】特許請求の範囲
【補正対象項目名】全文
【補正方法】変更
【補正の内容】
【特許請求の範囲】
【請求項１】
マクロ基地局と複数のホーム基地局を有するネットワークにおいて用いられる移動端末であって、
前記マクロ基地局および前記ホーム基地局から送信された信号の受信品質を測定する受信品質測定部と、
セル選択に用いるオフセット情報を前記マクロ基地局から受信するオフセット情報受信部と、
前記マクロ基地局からブロードキャストにより送信される、前記オフセット情報を補正するオフセット補正情報を受信するオフセット補正情報受信部と、
前記複数のホーム基地局のうち優先接続する少なくとも一つの優先ホーム基地局の情報を記憶する優先基地局情報記憶部と、
前記優先ホーム基地局を検知したときに、前記オフセット情報を前記オフセット補正情報によって補正するオフセット情報補正部と、
前記受信品質に、前記オフセット情報受信部にて受信したオフセット情報または前記オフセット情報補正部にて補正されたオフセット情報を加え、オフセット情報を加えた受信品質に基づいてセル選択を行うセル選択部と、
を備える移動端末。
【請求項２】
設定可能な前記優先ホーム基地局の個数の上限値を記憶した上限値記憶部を備える請求項１に記載の移動端末。
【請求項３】
前記上限値を示すデータを、前記第マクロ基地局から受信する上限値受信部を備え、
前記上限値受信部にて受信した上限値のデータを前記上限値記憶部に記憶する請求項２に記載の移動端末。
【請求項４】
前記オフセット補正情報を使用してよいか否かを示す使用可否（availability）情報を含む報知情報を、前記第マクロ基地局から受信する報知情報受信部を備え、
前記セル選択部は、前記優先ホーム基地局を検知したときに、前記報知情報に含まれる使用可否情報に基づいて、前記オフセット補正情報の使用可否を判定する請求項１〜３のいずれかに記載の移動端末。
【請求項５】
前記オフセット補正情報受信部は、前記優先ホーム基地局に接続しやすくする度合いが異なる複数のオフセット補正情報を受信する請求項１〜４のいずれかに記載の移動端末。
【請求項６】
前記第マクロ基地局は３ＧＰＰで規定されるｅＮｏｄｅＢであり、前記ホーム基地局は３ＧＰＰで規定されるＨｏｍｅ  ｅＮｏｄｅＢである請求項１〜５のいずれかに記載の移動端末。
【請求項７】
配下のセル内に複数のホーム基地局を含むマクロ基地局であって、
セル選択に用いるオフセット情報を前記移動端末に送信するオフセット情報送信部と、
前記オフセット情報を補正するオフセット補正情報をブロードキャストにより前記移動端末に送信するオフセット補正情報送信部と、
を備えるマクロ基地局。
【請求項８】
複数のホーム基地局のうち、優先接続を希望する優先ホーム基地局として設定可能な個数の上限値を示すデータを、前記移動端末に送信する上限値送信部を備える請求項７に記載のマクロ基地局。
【請求項９】
前記オフセット補正情報を使用してよいか否かを示す使用可否情報を含む報知情報を、前記移動端末に送信する報知情報送信部を備える請求項７または８に記載のマクロ基地局。
【請求項１０】
前記オフセット補正情報送信部は、前記優先ホーム基地局に接続しやすくする度合いが異なる複数のオフセット補正情報を前記移動端末に送信する請求項７〜９のいずれかに記載のマクロ基地局。
【請求項１１】
前記ホーム基地局は３ＧＰＰで規定されるＨｏｍｅ  ｅＮｏｄｅＢである請求項７〜１０のいずれかに記載のマクロ基地局。
【請求項１２】
マクロ基地局と複数のホーム基地局を有するネットワークにおいて移動端末によるセルの選択を制御するためのシステムであって、
前記第マクロ基地局は、
セル選択に用いるオフセット情報を前記移動端末に送信するオフセット情報送信部と、
前記オフセット情報を補正するオフセット補正情報をブロードキャストにより前記移動端末に送信するオフセット補正情報送信部と、
を備え、
前記移動端末は、
前記マクロ基地局および前記ホーム基地局から送信された信号の受信品質を測定する受信品質測定部と、
前記第マクロ基地局から前記オフセット情報を受信するオフセット情報受信部と、
前記第マクロ基地局から前記オフセット補正情報を受信するオフセット補正情報受信部と、
前記複数のホーム基地局のうち優先接続する少なくとも一つの優先ホーム基地局の情報を記憶する優先基地局情報記憶部と、
前記優先ホーム基地局を検知したときに、前記オフセット情報を前記オフセット補正情報によって補正するオフセット情報補正部と、
前記受信品質に、前記オフセット情報受信部にて受信したオフセット情報または前記オフセット情報補正部にて補正されたオフセット情報を加え、オフセット情報を加えた受信品質に基づいてセル選択を行うセル選択部と、
を備えるセル選択システム。
【請求項１３】
マクロ基地局と複数のホーム基地局を有するネットワークにおいて用いられる移動端末によるセル選択方法であって、
セル選択に用いるオフセット情報を前記マクロ基地局から受信するステップと、
前記マクロ基地局からブロードキャストにより送信される、前記オフセット情報を補正するオフセット補正情報を受信するステップと、
前記複数のホーム基地局のうち優先接続する少なくとも一つの優先ホーム基地局の情報を優先基地局情報記憶部に記憶するステップと、
前記マクロ基地局および前記ホーム基地局から送信された信号の受信品質を測定するステップと、
前記優先ホーム基地局を検知したときに、前記オフセット情報を前記オフセット補正情報によって補正するステップと、
前記受信品質に、前記マクロ基地局から受信したオフセット情報または前記オフセット補正情報によって補正されたオフセット情報を加え、オフセット情報を加えた受信品質に基づいてセル選択を行うステップと、
を備えるセル選択方法。
【請求項１４】
配下のセル内に複数のホーム基地局を含むマクロ基地局によって、移動端末のセル選択を制御する方法であって、
セル選択に用いるオフセット情報を前記移動端末に送信するステップと、
前記オフセット情報を補正するオフセット補正情報をブロードキャストにより前記移動端末に送信するステップと、
を備えるセル選択制御方法。
【手続補正２】
【補正対象書類名】明細書
【補正対象項目名】全文
【補正方法】変更
【補正の内容】
【発明の詳細な説明】
【関連する出願】
【０００１】
本出願では、２００８年９月１９日に日本国に出願された特許出願番号２００８−２４１０３９の利益を主張し、当該出願の内容は引用することによりここに組み込まれているものとする。
【技術分野】
【０００２】
本発明は、第１のセルと第１のセルに包含される第２のセルとを有するネットワークにおいて移動端末がセルを選択する技術に関する。
【背景技術】
【０００３】
３ＧＰＰでは、広域のエリアをカバーするマクロ基地局として、ｅＮｏｄｅＢ（以下、「ｅＮＢ」という）、Ｈｏｍｅ  ｅＮｏｄｅＢ（以下、「ＨｅＮＢ」という）が規定されている。ＨｅＮＢは、マクロ基地局のセル内において比較的狭いエリアをカバーする小型基地局（micro  BS）である。ＨｅＮＢのオペレーターは、ＨｅＮＢが持つＩＤ（ＣＳＧＩＤ）によりＨｅＮＢにアクセスできるユーザを制限することができる。ＨｅＮＢは、モバイルオペレータの管理するコアネットワークまでのアクセスを、モバイルオペレータとは異なるネットワークオペレータのネットワークを介しても接続可能となるように構成した基地局である。ＨｅＮＢは、モバイルオペレータが設置する他に、移動端末のユーザ自身や、オフィス管理者、ショッピングモールや、公共施設などの管理者がＨｅＮＢを配置することが想定されている。
【０００４】
小型基地局は、マクロ基地局と同様に、移動端末を収容できるが、その配置は、小型基地局の運用者の意図を反映した形で行われる。例えば、個人ユーザ所有の小型基地局であれば、ユーザ宅をサービスセルとしてカバーするように配置され、また、大学キャンパスのモバイル環境用として配置される場合は、大学敷地内をカバーするように複数の小型基地局を配置することが考えられる。
【０００５】
小型基地局においては、運用者の意図を反映し、接続可能な移動端末を制限するアクセスコントロール（ＣＳＧ）を行うことが可能である。この場合、ＣＳＧの対象外の移動端末は、小型基地局への接続が拒否される。このようなシステムにおいては、移動端末は、接続可能な小型基地局のリストであるホワイトリストを作成し、記憶する場合もある。移動端末は、小型基地局を検知すると、ホワイトリストを参照して、接続可能な小型基地局であるか否かを判断する。
【０００６】
ホワイトリストは、例えば、次の方法で作成することができる。（１）小型基地局への接続が可能かどうか逐一確かめる（ホワイトリストになくても接続手順を試みる）モードにおいて、接続可能であることを確認した小型基地局をホワイトリストに追加するようネットワーク側に依頼する。（２）対応する小型基地局のＩＤ等をネットワーク側と交渉し、接続可能であると通知されたＩＤ等を書き込んでいく。
【０００７】
なお、ＣＳＧについては、非特許文献１〜３に記載されている。非特許文献１は、ＣＳＧセルの定義および動作（ＵＭＴＳおよびＬＴＥ）を記載し、非特許文献２はＣＳＧセルの要求仕様（ＬＴＥ）を記載し、非特許文献３はＣＳＧセルのセル選択動作（ＬＴＥ）を記載している。
【０００８】
次に、上記したようなｅＮＢ、ＨｅＮＢを有するシステムにおいて、ハンドオーバすべきセルを選択するセル選択について説明する。セルの選択は、基本的には、ハンドオーバ元のセルとハンドオーバ先の候補となるセルとの接続品質に基づいて行われる。
【０００９】
ハンドオーバ元の接続品質が一定の条件を満たさなくなると、移動端末は他の基地局の使用を検討するため、他の基地局との接続を想定した品質測定を行う。ハンドオーバ先の基地局の選択は、移動端末側とネットワーク側でデータ伝送を行っている状態（アクティブ状態）では、ネットワーク主導で行われ、移動端末とネットワーク側でデータ伝送を行っていない状態（アイドル状態）では、移動端末主導で行われる。
【００１０】
いずれの場合も、移動端末にて測定した接続品質をそれぞれ比較し、最も品質が良いと思われる基地局を選定する。このとき、基地局の選択基準として、測定した品質の情報の他に勘案すべき情報がある場合、ネットワーク側は測定した品質情報に加減算するためのパラメータとしてオフセット情報を通知し、セル選択の傾向を制御することができる。
【００１１】
オフセット情報は、報知情報として通知される場合と、特定の移動端末に対して特別な値を設定するために、報知情報を上書きするように個別通知される場合とがある。オフセット情報を用いる例としては、ハンドオーバ（セル選択）先の候補の基地局が、ハンドオーバ（セル選択）元の基地局とは異なるアクセステクノロジで動作している場合に、同一の方法で測定した場合の差異を相殺するために用いられる。また、異なる周波数帯のセルごとで、使用するリソースを平滑化するため、ネットワーク側の意図する周波数帯のセルに移動端末を誘導する目的で使用される。
【００１２】
このオフセット情報を、前述したホワイトリストに、各小型基地局に対する「接続しやすさ」を反映する情報として設定することもできる。
【先行技術文献】
【非特許文献】
【００１３】
【非特許文献１】3GPP  TS22.011  １章および８章
【非特許文献２】3GPP  TR36.300  Annex  F
【非特許文献３】3GPP  TR36.304  ５章
【発明の概要】
【発明が解決しようとする課題】
【００１４】
上述したように、小型基地局は、モバイルオペレータとは異なり、よりユーザに近い所有者により運用されることも想定しているので、ユーザもしくは小型基地局の所有者の志向を反映して、小型基地局に接続するか否かの選択を行えることが望ましい。以降、ユーザが所有する移動端末を、その移動端末のホームの小型基地局に優先的に接続させたい（使用料の面での優遇があるなど）、公共的に提供される小型基地局に接続させたい、ホットスポットのようなサービスエリアに一定期間滞在したいなど、移動端末のユーザの接続先に関する要望をユーザの志向と表記する。なお、ユーザの志向は、必ずしもシステム上で通信パラメータなどから判定する接続先とは一致するとは限らない。
【００１５】
モバイルオペレータのセル選択基準は、地域、周波数帯、アクセステクノロジ等の要素を勘案する。しかし、小型基地局を優先して使用したい度合いや傾向は、各移動端末によって異なる。例えば、移動端末が異なると、優先して使用したい小型基地局の傾向は、全く反対になるかもしれない。また、ユーザの使用状況の変化に応じて、優先して使用したい小型基地局が時々刻々と変化する可能性があり、優先すべき小型基地局をいったん設定しても、時間が違えば、ユーザの志向が逆転するかもしれない。
【００１６】
移動端末毎に、小型基地局別の「接続しやすさ」を設定するために、移動端末別、小型基地局別のオフセット情報を通知することが考えられる。移動端末は、ユーザの志向設定の変更に応じて、対応する小型基地局へのオフセット情報の変更を要求する。ネットワーク側は、マクロ基地局を介して、それぞれの移動端末がそれぞれの小型基地局のセル選択に使用するオフセット値の一覧を、移動端末からの要求に応じて報知する。移動端末は、小型基地局を発見した際は、受信したオフセット値の一覧を用いてセル選択を行う。
【００１７】
しかし、この方法は、報知情報が非常に多くなってしまうという課題がある。例えば、一つのマクロ基地局が構成するセル内にn個の移動端末とm個の小型基地局があるとすると、報知情報は、n×m個のオフセット情報とそのオフセット情報を用いるべき移動端末および小型基地局のＩＤをリスト化した情報を報知する必要がある。しかし、一般に報知情報のサイズは限られており、このように報知情報が肥大化する構造とすることは望ましいことではない。
【００１８】
上述したホワイトリストを用いる方法も考えられる。移動端末は、ユーザの志向設定の変更があると、ホワイトリストの構成の変更を依頼し、ネットワーク側へ、どの小型基地局がどの程度優先されるように変更されるのが望ましいかを通知する。ネットワーク側は通知に基づき、ホワイトリストに付加するプライオリティを変更する。ネットワーク側は、マクロ基地局を介してそれぞれの移動端末がそれぞれの小型基地局のセル選択に使用するオフセット情報を更新する。移動端末は、小型基地局を発見した際に、ホワイトリストに示される最新のオフセットを用いてセル選択を行う。
【００１９】
しかし、ホワイトリストは運用として接続対象として扱ってよいかどうかの静的な情報を管理することが主目的であるため、頻繁に更新されるデータを扱うにはあまり適していない。ホワイトリストの自動的な更新周期は非常に長いので、意図的に更新するために複数のシグナリングを含む手順を実行しなければならない。ユーザの使用状況の変化に応じて志向設定が時々刻々と変化するため、優先すべき小型基地局を頻繁に更新しなければならない状況においては、ホワイトリストを頻繁に更新しなければユーザの志向設定に追いつくことができないが、これはホワイトリストの運用としては、望ましいことではない。依然として、通知情報が非常に多いという課題も存在する。
【００２０】
そこで、本発明は上記背景に鑑み、ユーザ個別の志向を移動端末ごとに個々に設定することができ、情報の通知量を抑えたセル選択の制御方法を提案することを目的とする。
【課題を解決するための手段】
【００２１】
本発明の移動端末は、マクロ基地局と複数のホーム基地局を有するネットワークにおいて用いられる移動端末であって、前記マクロ基地局および前記ホーム基地局から送信された信号の受信品質を測定する受信品質測定部と、セル選択に用いるオフセット情報を前記マクロ基地局から受信するオフセット情報受信部と、前記マクロ基地局からブロードキャストにより送信される、前記オフセット情報を補正するオフセット補正情報を受信するオフセット補正情報受信部と、前記複数のホーム基地局のうち優先接続する少なくとも一つの優先ホーム基地局の情報を記憶する優先基地局情報記憶部と、前記優先ホーム基地局を検知したときに、前記オフセット情報を前記オフセット補正情報によって補正するオフセット情報補正部と、前記受信品質に、前記オフセット情報受信部にて受信したオフセット情報または前記オフセット情報補正部にて補正されたオフセット情報を加え、オフセット情報を加えた受信品質に基づいてセル選択を行うセル選択部とを備える。
【００２２】
この構成により、ユーザが優先接続を希望する優先ホーム基地局が選択されやすくなると共に、基地局はオフセット補正情報を送信するので、優先ホーム基地局が選択されやすくなる度合いを調整できる。マクロ基地局は、全移動端末に共通の情報を報知すればよいので、通知する情報量を抑制できる。
【００２３】
本発明のマクロ基地局は、配下のセル内に複数のホーム基地局を含むマクロ基地局であって、セル選択に用いるオフセット情報を前記移動端末に送信するオフセット情報送信部と、前記オフセット情報を補正するオフセット補正情報をブロードキャストにより前記移動端末に送信するオフセット補正情報送信部とを備える。
【００２４】
この構成により、ユーザが優先接続を希望する優先ホーム基地局が選択されやすくなると共に、マクロ基地局はオフセット補正情報を送信するので、優先ホーム基地局が選択されやすくなる度合いを調整できる。マクロ基地局は、全移動端末に共通の情報を報知すればよいので、通知する情報量を抑制できる。
【００２５】
本発明のセル選択システムは、マクロ基地局と、複数のホーム基地局を有するネットワークにおいて移動端末によるセルの選択を制御するためのシステムであって、前記第マクロ基地局は、セル選択に用いるオフセット情報を前記移動端末に送信するオフセット情報送信部と、前記オフセット情報を補正するオフセット補正情報をブロードキャストにより前記移動端末に送信するオフセット補正情報送信部とを備え、前記移動端末は、前記マクロ基地局および前記ホーム基地局から送信された信号の受信品質を測定する受信品質測定部と、前記第マクロ基地局から前記オフセット情報を受信するオフセット情報受信部と、前記第マクロ基地局から前記オフセット補正情報を受信するオフセット補正情報受信部と、前記複数のホーム基地局のうち優先接続する少なくとも一つの優先ホーム基地局の情報を記憶する優先基地局情報記憶部と、前記優先ホーム基地局を検知したときに、前記オフセット情報を前記オフセット補正情報によって補正するオフセット情報補正部と、前記受信品質に、前記オフセット情報受信部にて受信したオフセット情報または前記オフセット情報補正部にて補正されたオフセット情報を加え、オフセット情報を加えた受信品質に基づいてセル選択を行うセル選択部とを備える。
【００２６】
本発明のセル選択方法は、マクロ基地局と複数のホーム基地局を有するネットワークにおいて用いられる移動端末によるセル選択方法であって、セル選択に用いるオフセット情報を前記マクロ基地局から受信するステップと、前記マクロ基地局からブロードキャストにより送信される、前記オフセット情報を補正するオフセット補正情報を受信するステップと、前記複数のホーム基地局のうち優先接続する少なくとも一つの優先ホーム基地局の情報を優先基地局情報記憶部に記憶するステップと、前記マクロ基地局および前記ホーム基地局から送信された信号の受信品質を測定するステップと、前記優先ホーム基地局を検知したときに、前記オフセット情報を前記オフセット補正情報によって補正するステップと、前記受信品質に、前記マクロ基地局から受信したオフセット情報または前記オフセット補正情報によって補正されたオフセット情報を加え、オフセット情報を加えた受信品質に基づいてセル選択を行うステップとを備える。
【００２７】
本発明のセル選択制御方法は、配下のセル内に複数のホーム基地局を含むマクロ基地局によって、移動端末のセル選択を制御する方法であって、セル選択に用いるオフセット情報を前記移動端末に送信するステップと、前記オフセット情報を補正するオフセット補正情報をブロードキャストにより前記移動端末に送信するステップとを備える。
【発明の効果】
【００２８】
本発明によれば、優先基地局情報記憶部に記憶された優先ホーム基地局が選択されやすくなる。基地局はオフセット補正情報を送信するので、優先ホーム基地局が選択されやすくなる度合いを調整でき、かつ通知される情報量を抑制できるというすぐれた効果を有する。
【００２９】
以下に説明するように、本発明には他の態様が存在する。したがって、この発明の開示は、本発明の一部の提供を意図しており、ここで記述され請求される発明の範囲を制限することは意図していない。
【図面の簡単な説明】
【００３０】
【図１】図１は、第１の実施の形態の移動端末の構成を示す図
【図２】図２は、第１の実施の形態のマクロ基地局の構成を示す図
【図３】図３は、第１の実施の形態の移動端末およびマクロ基地局が適用されるネットワークの構成を示す図
【図４】図４は、第１の実施の形態のオフセット補正情報保持部に保持されたデータの例を示す図
【図５】図５は、第１の実施の形態のマクロ基地局により送信される報知情報の例を示す図
【図６】図６は、第１の実施の形態の移動端末の動作を示す図
【図７】図７は、第２の実施の形態のマクロ基地局の構成を示す図
【図８】図８は、第２の実施の形態のマクロ基地局により送信される報知情報の例を示す図
【図９】図９は、第２の実施の形態の移動端末の構成を示す図
【図１０】図１０は、第２の実施の形態の移動端末の動作を示す図
【図１１】図１１は、第３の実施の形態のオフセット補正情報保持部に保持されたデータの例を示す図
【発明を実施するための形態】
【００３１】
以下に、本発明の詳細な説明を述べる。以下に説明する実施の形態は本発明の単なる例であり、本発明は様々な態様に変形することができる。従って、以下に開示する特定の構成および機能は、請求の範囲を限定するものではない。
【００３２】
以下、本発明の実施の形態の基地局、移動端末およびセル選択方法について、図面を用いて説明する。なお、下記の各実施の形態では、小型基地局は3GPP  LTEシステムに対応したHome  eNBである例について、説明を行っているが、3GPP  UMTSシステムに対応したHome  NBにおいて、本発明を応用することもできる。この場合、移動端末はアイドル状態以外においてもセル選択を行うなどのシステム上の条件の差異にあわせて変更を加える必要があるが、この変更は当業者が行う設計変更として自明である。
【００３３】
（第１の実施の形態）
図１は、第１の実施の形態の移動端末１０の構成を示す図、図２はマクロ基地局３０の構成を示す図である。図１、図２を用いて、移動端末１０およびマクロ基地局３０について詳しく説明する前に、本実施の形態の移動端末１０およびマクロ基地局３０が適用されるネットワークについて説明する。
【００３４】
図３は、第１の実施の形態の移動端末１０およびマクロ基地局３０が適用されるネットワークの構成を示す図である。マクロ基地局３０が提供する広範囲のセルＣには、複数の小型基地局４０ａ〜４０ｃが設置されている。以下、小型基地局４０ａ〜４０ｃを総称する場合には、小型基地局４０という。各小型基地局４０ａ〜４０ｃは、独自のセルＣ１〜Ｃ３を提供している。マクロ基地局３０は、例えば、３ＧＰＰで規定されるｅＮＢであり、小型基地局は３ＧＰＰで規定されるＨｅＮＢであるが、これらに限定されるものではない。
【００３５】
小型基地局４０は、マクロ基地局３０の運用者とは異なる運用者によって運用されてもよいし、同じ運用者によって運用されてもよい。図３に示す例では、小型基地局４０ａは、ユーザ宅に設置され、小型基地局４０ｂはショッピングモールに設置され、小型基地局４０ｃは大学に設置されている。
【００３６】
移動端末１０は、マクロ基地局３０と通信可能であると共に、小型基地局４０とも通信可能である。なお、小型基地局４０が、移動端末１０との通信を許可していない場合には、通信を行うことができない。例えば、図３に示す例では、大学に設置された小型基地局４０は、大学の関係者以外の移動端末１０との通信を拒否することができる。
【００３７】
移動端末１０は、小型基地局４０の通信範囲内に入った場合には、マクロ基地局３０と小型基地局４０のうちで、接続品質の良い方を用いて通信を行うことができる。このように複数のセルのうちで、接続品質に基づいてセルを選択することをセル選択という。
【００３８】
［移動端末］
次に、図１を参照して、移動端末１０の構成について説明する。移動端末１０は、基本通信機能１２と、志向設定部１４と、小型基地局管理部１６と、オフセット情報補正処理部１８と、オフセット補正情報保持部２０と、オフセット情報保持部２２と、セル選択部２４とを有している。基本通信機能１２は、マクロ基地局およびホーム基地局からの信号の受信品質を測定する受信品質測定部１３を有している。なお、図１には示していないが、移動端末１０は、従来の移動端末と同様に、データ送受信部、基地局間のハンドオーバ機能部なども有する。以下、移動端末１０の各構成について説明する。
【００３９】
志向設定部１４は、ユーザが複数の小型基地局４０のうちのどの小型基地局４０に優先して接続したいかという志向を設定する機能を有する。ユーザの志向はユーザからの入力により受け付けてもよいし、アプリケーションソフトウェアなどで推定してもよい。志向設定部１４は、優先して接続する小型基地局４０のデータを小型基地局管理部１６に通知する。小型基地局管理部１６は、本発明の「優先基地局情報記憶部」の機能を有する。
【００４０】
小型基地局管理部１６は、移動端末１０が接続可能な小型基地局４０のＩＤのリストを記憶して管理する。このリストは、ネットワーク側から通知されるホワイトリストを管理する従来の移動端末の機能ブロックを拡張することによって構成してもよい。これにより、比較的簡単に小型基地局４０の情報を管理できる。
【００４１】
図４は、本実施の形態の小型基地局管理部１６が管理するリストの例を示す図である。図４に示すように、ホワイトリストの小型基地局４０のＩＤのリストに、志向設定部１４から通知される優先／非優先すると選定された小型基地局４０の情報を示すエントリを追加する。ここで、非優先とは、優先設定されていない基地局を意味する。以上により、ホワイトリストの小型基地局４０のＩＤとその優先／非優先の選定結果が関連づけて管理される。ユーザにより優先接続設定された小型基地局４０がホワイトリストに含まれていない場合は、設定された小型基地局４０の情報を破棄する処理を行ってもよいし、あるいは、ホワイトリストに小型基地局４０の情報を追加する処理を行ってもよい。
【００４２】
オフセット情報保持部２２は、セル選択を行う際に用いるオフセット情報を保持する。オフセット情報は、マクロ基地局３０から送信される。オフセット情報保持部２２は、従来の移動端末１０が有する情報保持部に小型基地局４０用の保持領域を追加することによって構成してもよい。オフセット情報保持部２２の内容は、オフセット情報を含む報知情報を受信したときや、オフセット情報を再受信した場合等に更新される。オフセット情報保持部２２は、一定の時間経過や、マクロ基地局３０の変更などの条件により、内容を破棄するよう設定されていてもよい。
【００４３】
オフセット補正情報保持部２０は、報知情報に含まれるオフセット補正情報を保持する。オフセット補正情報保持部２０は、移動端末１０がオフセット補正情報を再受信した場合等に更新される。オフセット補正情報保持部２０は、一定の時間経過や、マクロ基地局３０の変更などの条件により、内容を破棄するように設定されていてもよい。
【００４４】
オフセット情報補正処理部１８は、セル選択の候補の小型基地局４０に対して優先接続の設定が行われている場合に、セル選択の判断に用いるオフセット情報を補正する機能を有する。オフセット情報補正処理部１８は、移動端末１０が小型基地局４０へのセル選択を行うために通信品質測定を開始すると、小型基地局管理部１６に保持されたデータを参照して、対象となる小型基地局４０に優先接続の設定がなされているかどうかを確認する。優先接続の設定がなされている場合には、オフセット情報補正処理部１８は、オフセット情報保持部２２から読み出したオフセット情報を、オフセット補正情報保持部２０から読み出したオフセット補正情報によって補正する。オフセット情報補正処理部１８は、補正後のオフセット情報をセル選択部２４に入力し、補正後のオフセット情報を用いてセル選択を行うようにセル選択部２４を制御する。対象となる小型基地局４０に優先接続の設定がなされていない場合は、オフセット情報保持部２２に保持されたオフセット情報を用いてセル選択を行うようにセル選択部２４を制御する。
【００４５】
小型基地局４０のＩＤは、移動端末１０により検出可能な小型基地局４０の間でユニークであることが望ましい。そのため、例えば、小型基地局４０から通知される報知情報に含まれる小型基地局４０のＩＤを受信することにより、小型基地局４０をユニークに特定できるようにする。
【００４６】
小型基地局４０をユニークに特定できるようにする場合は、品質測定開始時（接続セルの選択手順開始時）に前もって、測定対象（セル選択対象）となる小型基地局４０の報知情報を確認するなどして、その小型基地局４０をユニークに特定できる情報を受信しておくこともできる。また、複数のＩＤ構造やその他の情報を組み合わせて、小型基地局４０をユニーク、もしくは、高精度に識別できるようにしてもよい。例えば、小型基地局４０をユニークに特定できるＩＤと重複使用が可能なＩＤに、その位置の情報（マクロ基地局のＩＤなどでもよい）を関連付けることで、重複が可能なＩＤのみを受信したときも、その位置の情報から、高精度に小型基地局４０をユニークに特定できるＩＤを導き出すようにしてもよい。
【００４７】
セル選択部２４は、マクロ基地局３０や小型基地局４０等から信号の受信品質の測定結果を元にセル選択を行う機能を有する。本実施の形態のセル選択部２４は、オフセット情報補正処理部１８から指定された小型基地局４０に関しては、補正されたオフセット情報を用いてセル選択を行う。
【００４８】
［マクロ基地局］
次に、図２を参照して本実施の形態のマクロ基地局３０の構成について説明する。マクロ基地局３０は、基本通信機能３２と、オフセット生成部３４とを有している。なお、図２には示していないが、マクロ基地局３０は、従来のマクロ基地局３０と同様に、データ送受信部、受信品質測定のための設定情報（オフセット情報を含む）通知機能、ホワイトリスト通知機能、ハンドオーバ決定機能なども有する。
【００４９】
オフセット生成部３４は、小型基地局４０へのセル選択に用いられるオフセット情報を生成し、移動端末１０に通知する機能を有する。ここで、「オフセット情報」は、ユーザによる優先接続設定がなされていない小型基地局４０へのオフセット情報である。このオフセット情報は、各マクロ基地局３０が設定する値であり、マクロ基地局３０が形成するセルＣにおいて適切な値となるように制御されている。オフセット情報の適用対象は、セル内のすべての移動端末１０であり、内容はセル内の小型基地局４０全体に対するオフセット情報である。従って、オフセット情報には、移動端末１０のＩＤや小型基地局４０のＩＤが必要なく、比較的小さなデータ量で報知できる。
【００５０】
本実施の形態では、オフセット生成部３４は、オフセット補正情報生成部３６を有している。オフセット補正情報生成部３６は、オフセット補正情報を生成し、移動端末１０に通知する機能を有する。オフセット補正情報は、優先接続の設定がなされている小型基地局４０が選択されやすくなるようにオフセット情報を補正する情報であって、許容可能な補正量を示す。オフセット補正情報もまた、各マクロ基地局３０において設定される値であり、マクロ基地局３０が形成するセルにおいて適切な値となるように制御されている。オフセット補正情報の適用対象は、セル内のすべての移動端末１０であり、内容は移動端末１０が選定した任意の小型基地局４０に対するオフセット補正情報である。従って、オフセット補正情報には、移動端末１０のＩＤや小型基地局４０のＩＤが必要なく、比較的小さなデータ量で報知できる。
【００５１】
マクロ基地局３０は、オフセット情報およびオフセット補正情報を、ブロードキャストによってセル内に存在する移動端末１０に一斉に送信する。
【００５２】
次に、本実施の形態の移動端末１０およびマクロ基地局３０の動作について説明する。以下の説明では、マクロ基地局３０のセル内に存在する移動端末１０が小型基地局４０のセルを検出した場合にセル選択を行う例について説明する。
【００５３】
図５は、マクロ基地局３０により送信される報知情報の例を示す図である。マクロ基地局３０は、オフセット情報およびオフセット補正情報を含む報知情報を、ブロードキャストにより送信する。図５に示す例では、オフセット補正情報は、オフセット情報の追加情報として、受信品質測定のための設定情報に含めて報知される。この報知情報としては、例えば、ＳＩＢ４（System  Information  Block  4）を用いることができる。オフセット補正情報は、オフセット情報の追加情報とせずに、別途、マクロ基地局３０からの報知情報の中の受信品質測定のための設定情報の中に含めて報知してもよい。
【００５４】
図６は、移動端末１０の動作を示す図である。移動端末１０は、まず、ユーザからの志向設定を受け付ける（Ｓ１０）。具体的には、ユーザが優先して接続したい小型基地局４０の設定を受け付け、設定された小型基地局４０のＩＤを保存する。すなわち、移動端末は、図４に示すとおり、小型基地局４０のＩＤのリストに対象の小型基地局４０を優先して接続する旨を示す情報を保存する。本実施の形態では、ユーザからの入力を受けて、優先して接続したい小型基地局４０の設定を行う例について説明しているが、別の方法により、小型基地局４０のＩＤのリストに優先接続設定を保存してもよい。例えば、ユーザの自宅に設置されたホーム基地局に対しては、ユーザからの入力がなくとも優先接続を行う旨を設定してもよい。小型基地局４０の対象とするユーザの属性（例えば、年齢層等）を有している場合には、小型基地局４０の属性と移動端末１０のユーザ属性とを比較して、ユーザの属性が合致する小型基地局４０に対して優先接続の設定をしてもよい。
【００５５】
移動端末１０は、マクロ基地局３０から送信されるオフセット情報およびオフセット補正情報を受信し（Ｓ１２）、受信したオフセット情報をオフセット情報保持部２２に保持し、オフセット補正情報をオフセット補正情報保持部２０に保持する。
【００５６】
移動端末１０は、周辺基地局の受信品質を測定し、測定した基地局の基地局ＩＤを報知情報から受信する（Ｓ１４）。移動端末１０は、受信した報知情報から報知情報の送信元の基地局が、小型基地局４０であるか否かを判定する（Ｓ１６）。隣接セルの基地局が小型基地局４０でない場合（Ｓ１６でＮＯ）には、マクロ基地局３０から別のマクロ基地局３０へのセル選択となるので、移動端末１０は、従来のセル選択の手法により処理を行う。
【００５７】
報知情報の送信元の基地局が、小型基地局４０である場合（Ｓ１６でＹＥＳ）、移動端末１０は、小型基地局管理部１６に管理されているデータに基づいて、報知情報の送信元の基地局のＩＤが優先接続設定された基地局のＩＤと一致するか否かを判定する（Ｓ１８）。この結果、基地局のＩＤが一致する場合には（Ｓ１８でＹＥＳ）、移動端末１０は、オフセット情報保持部２２に保持されたオフセット情報を、オフセット補正情報保持部２０に保持されたオフセット補正情報によって補正する（Ｓ２０）。基地局のＩＤが一致しない場合には（Ｓ１８でＮＯ）、オフセット情報の補正を行わずに、次の処理に進む。
【００５８】
移動端末１０は、セル選択の候補となる各セルの受信品質に、オフセット情報保持部２２から読み出したオフセット情報またはオフセット情報補正処理部１８にて補正されたオフセット情報を加えて、測定値を決定する（Ｓ２２）。移動端末１０は、オフセット後の測定値に基づいてセルの選択を行う（Ｓ２４）。以上、第１の実施の形態の移動端末１０およびマクロ基地局３０について説明した。測定される受信品質としては、既知の信号（例えば参照信号又はパイロット信号）の受信電力などが用いられる。
【００５９】
本実施の形態の移動端末１０はユーザにより優先接続設定がなされた小型基地局４０に対するセル選択時に、オフセット補正情報を用いてオフセット情報を補正する。これにより、移動端末１０は、マクロ基地局３０に対し、特定の小型基地局４０をどの程度優先したいか交渉することなく、ユーザの志向に基づく特定の小型基地局４０への優先度設定に基づくセル選択を行うことができる。
【００６０】
本実施の形態のマクロ基地局３０は、オフセット情報を補正するオフセット補正情報を送信しているので、基本的な設定基準として、移動端末１０が設定できる優先度の程度を制御することができる。
【００６１】
上述したとおり、オフセット情報およびオフセット補正情報は、全移動端末１０および全小型基地局４０に共通であり、移動端末１０のＩＤや小型基地局４０のＩＤが必要ないので、報知情報の情報量を抑制することができる。
【００６２】
上記した第１の実施の形態において、移動端末１０の志向設定部１４にて優先接続の設定を受け付ける小型基地局４０の個数の上限値を設けることとしてもよい。この上限値は、移動端末１０にプリセットして記憶しておいてもよい。また、通信中にマクロ基地局３０が、上限値の情報を移動端末１０に通知し、移動端末１０は、マクロ基地局３０から通知された情報を受信して記憶することとしてもよい。マクロ基地局３０から通知する場合には、状況に応じて通知してもよい。この通知の方法は、報知情報を用いてもよく、個別通知を行ってもよい。
【００６３】
マクロ基地局３０から上限値を通知する構成とした場合、例えば、一定期間、同一マクロ基地局３０内などの条件の下、オフセット補正情報をオフセット情報に適用できる小型基地局４０の数に上限値を設け、事前もしくは制御が必要な状態になった場合に、移動端末１０に対して、上限値を設定することができる。これにより、マクロ基地局３０の形成するセル内において通常よりも送信電力を強めた送信を行う移動端末１０（セル内の干渉の要因）を管理できるようになる。
【００６４】
（第２の実施の形態）
次に、本発明の第２の実施の形態の移動端末１０ａおよびマクロ基地局３０ａについて説明する。第２の実施の形態においては、マクロ基地局３０ａは、優先接続設定に基づくセル選択を許可するタイミングを制御する。
【００６５】
図７は、第２の実施の形態のマクロ基地局３０ａの構成を示す図である。第２の実施の形態のマクロ基地局３０ａは、第１の実施の形態のマクロ基地局３０の構成に加え、使用可否情報生成部３８を有している。
【００６６】
使用可否情報生成部３８は、現時点のセルの運用状況や、ネットワーク側からの制御により、移動端末１０ａが小型基地局４０へのセル選択に際して、オフセット情報をオフセット補正情報によって補正してもよいかどうかを判断する機能と、その判断結果に基づいて、使用可能／使用禁止の状態を通知するための使用可否情報を生成し、移動端末１０ａに対して通知する機能を有する。
【００６７】
使用可否情報は、１ビットから数ビットのフラグ情報で、この使用可否情報を用いて、その時々のオフセット補正情報の使用可否を表示する。この使用可否情報は、例えば、移動端末１０ａが強い送信電力で送信した場合の干渉が、許容できる範囲内の状況であることから判断して、オフセット補正情報を使用可能である旨を示した使用可否情報を設定したり、現在のマクロ基地局３０ａが形成するセル内の小型基地局４０がマクロ基地局３０ａと異なる周波数帯で運用されているために、干渉の影響をあまり受けることがないことから判断して、オフセット補正情報を使用可能である旨を示した使用可否情報を設定したりできる。このような状況は、時間や環境によって異なると考えられるので、マクロ基地局３０ａごとに別々のタイミングで、独自に設定できることが望ましい。使用可否情報生成部３８は、ネットワーク側からの制御の頻度、即応性の必要に応じた周期で、使用可否情報を継続的に報知する。
【００６８】
図８は、マクロ基地局３０ａにより送信される報知情報の例を示す図である。第２の実施の形態のマクロ基地局３０ａは、使用可否情報を短周期の報知情報の中の受信品質測定のための設定情報に含めて送信する。短周期の報知情報としては、例えば、ＳＩＢ１を用いることができる。
【００６９】
図９は、第２の実施の形態の移動端末１０ａの構成を示す図である。第２の実施の形態の移動端末１０ａの基本的な構成は第１の実施の形態の移動端末１０と同じであるが、第２の実施の形態では、オフセット情報補正処理部１８は使用可否確認部２６を有している。
【００７０】
使用可否確認部２６は、オフセット情報補正処理部１８において小型基地局管理部１６を参照して優先／非優先の補正を行うように選定されているかどうかを確認する際に、報知情報に含まれる使用可否情報の状態を確認し、使用しようとしているオフセット補正情報を現時点で使用してよいかどうか判断する機能を有する。その結果、オフセット補正情報の使用が許可されている場合は、オフセット情報補正処理部１８にて補正したオフセット補正情報を用いてセル選択を行い、許可されていない場合は、オフセット情報保持部２２に保持されたオフセット情報を用いてセル選択を行う。
【００７１】
図１０は、第２の実施の形態の移動端末１０ａの動作を示す図である。第２の実施の形態の移動端末１０ａの基本的な動作は、第１の実施の形態の移動端末１０の動作と同じであるが、オフセット補正情報を使用してよいか否かの使用可否の判定を行う処理が追加されている（Ｓ１７）。使用可否の判定を行う処理では、移動端末１０ａは、短周期の報知情報（システム情報）から使用可否情報を取得し、取得した使用可否情報に基づいてオフセット補正情報の使用が許可されているか否かを判定する。使用許可されている場合には、必要に応じて、オフセット情報、およびオフセット補正情報を、更新のために取得するようにしてもよい。
【００７２】
なお、図１０に示す例では、オフセット補正情報の使用可否の判定を、基地局ＩＤの判定の前に行う例を示しているが、使用可否の判定は、基地局ＩＤの判定（Ｓ１８）の後に行ってもよい。
【００７３】
第２の実施の形態のマクロ基地局３０ａは、ユーザの志向に応じた優先接続を許可するか否かを使用可否情報によって通知し、移動端末１０ａは、この使用可否情報に基づいて優先接続を行うか否かを決定している。これにより、マクロ基地局３０ａの運用者（例えば、モバイルオペレータ）は、移動端末１０ａがセル選択を行う時点における状況に応じて、優先接続を許可するか否かを制御することができる。
【００７４】
例えば、マクロ基地局３０ａに比べて、小型基地局４０への接続をより優先するということは、移動端末１０ａと小型基地局４０との通信において、通常（優先的な接続がない場合）に比べて電波の干渉や小型基地局４０までの距離が比較的離れているなど、通信品質の悪い状況下でも接続される可能性、すなわち、移動端末１０ａからの送信が行われる可能性がある。従って、移動端末１０ａは、十分な通信品質を確保するために、小型基地局４０に対して、送信電力を上げて通信する必要があるかもしれない。小型基地局４０の形成するセルは、マクロ基地局３０ａの形成するセルに包含される場合が多いため、小型基地局４０に接続するために移動端末１０ａが送信電力を上げて送信することは、周辺に存在する他のマクロ基地局３０ａに接続している（小型基地局４０には接続しようとしていない）移動端末１０ａにとっては、干渉、雑音の要素が増すことになる。このことはマクロ基地局３０ａの形成するセルにおいてのシステムのパフォーマンスを低下させることにつながるので、ネットワーク側の運用面での判断において状況に応じた制御ができることが望ましい。
【００７５】
使用可否情報を用いた制御により、例えば、夜間住宅街で許可、日中に干渉制御を優先するといった制御を行うことができる。住宅街をカバーするマクロ基地局３０ａにおいて、時間帯に応じて使用可否を制御することによって、ユーザの活動状態（屋外にいるユーザ数など）に合わせて、きめ細かい制御が可能になる。ユーザの活動が活発な場合には、干渉制御を優先し、マクロ基地局３０ａの形成するセルＣに接続している移動端末１０ａに大きな影響を与えないようにオフセット補正情報の使用を抑制する使用可否情報を生成通知したり、ユーザの活動が安定している場合には、自宅の小型基地局４０への接続がより容易になるように、オフセット補正情報の使用を許可する使用可否情報を生成通知したりできる。深夜などは、ユーザの活動は活発ではなく、アクティブな接続も少ないことから、移動端末１０ａをマクロ基地局３０ａに接続させ、個別の小型基地局４０を省電力や待機状態にできるよう使用可否情報を制御してもよい。
【００７６】
（第３の実施の形態）
次に、本発明の第３の実施の形態の移動端末１０およびマクロ基地局３０について説明する。第３の実施の形態の移動端末１０およびマクロ基地局３０の基本的な構成は、第１の実施の形態の移動端末１０およびマクロ基地局３０の構成と同じであるが、第３の実施の形態においては、複数種類のオフセット補正情報を有する。複数種類のオフセット補正情報はそれぞれ、優先度に応じて異なる接続のしやすさを実現する補正情報である。
【００７７】
図１１は、第３の実施の形態の移動端末１０の小型基地局管理部１６に管理された小型基地局４０のリストの例を示す図である。図１１に示すように、小型基地局４０のＩＤに関連付けて「第１優先」「第２優先」「−」の優先度の異なる３種類の優先度が設定されている。「第１優先」で示される小型基地局４０に対しては、最も優先して接続されやすくするためのオフセット補正情報が適用され、「第２優先」で示される小型基地局４０に対しては２番目に優先して接続されやすくするためのオフセット補正情報が適用される。「−」で示される小型基地局４０に対しては、オフセット補正情報は適用されない。
【００７８】
マクロ基地局３０は、オフセット情報に加え、「第１優先」「第２優先」に適用されるそれぞれのオフセット補正情報の情報を移動端末１０に通知する。移動端末１０は、報知されているオフセット情報をそのまま使用する場合を含め、３段階の接続しやすさを志向設定に基づいて選定された小型基地局４０に割り当てる。なお、本実施の形態では、３段階の接続しやすさの度合いを有する例を挙げているが、接続しやすさの度合いは何段階であってもよい。
【００７９】
第３の実施の形態においては、図１１に「忌避（avoidance）」で示すように、接続しにくい小型基地局４０が設定されている。言い換えると、非優先に設定される小型基地局４０が設定されている、あるいは、優先度が低位設定される小型基地局４０が設定されているとも言える。本実施の形態では、「忌避」で示される小型基地局４０に接続しにくくするように、オフセット情報の補正を行う。この場合のオフセット補正情報は、小型基地局４０に接続しやすくするためのオフセット補正情報とは逆方向のシフトを行う情報である。
【００８０】
第３の実施の形態の移動端末１０およびマクロ基地局３０は、小型基地局４０への接続しやすさを段階的に設定できるので、小型基地局４０の運用者や属性等に応じてきめ細かい制御を行うことが可能となる。
【００８１】
例えば、大学キャンパスや、集合住宅街など広範囲に複数の小型基地局４０を配置し、さらに特定の小型基地局４０が特定の移動端末１０の拠点となるような場合に有用である。大学キャンパスの場合、マクロ基地局３０が形成するセルＣ内において、大学キャンパス外の小型基地局４０との違い（志向設定）を反映するために、オフセット補正情報（第２優先）を適用したオフセット情報を用いることで実現する。特定の学生の移動端末１０は、在籍する学部棟への接続を更に優先するために大学キャンパス内の小型基地局４０間の違い（志向設定）を反映するために、オフセット補正情報（第１優先）を適用したオフセット情報を用いることで実現する。このようなオフセット補正情報の使用方法においても、共用棟での講義時間帯は共用棟の小型基地局４０を第１優先と変更するなど、ユーザの志向設定の変化に即座に対応できることが有用である。
【００８２】
このように、時間帯、場所、使用者に応じて志向設定を反映できることは小型基地局４０の設置者にとっても有用である。例えば、オフセット補正情報（第２優先）はマクロ基地局３０が報知する通常のオフセット補正情報を用い、その後に、移動端末１０が大学キャンパス内の小型基地局４０に接続した時点で、小型基地局４０がオフセット補正情報（第１優先）に相当する情報を（新たに／追加で）通知する、この方法によれば、細かな制御を大学キャンパスの小型基地局４０設置者が制御することも可能となるかもしれない。マクロ基地局３０への影響が管理されている範囲内で、小型基地局４０ごとの差異を設定できるようにモバイルオペレータが設定手段を提供することは、小型基地局４０の設置者にとっての利便性を高めることになる。さらに、細かな制御に要するオフセット補正情報をマクロ基地局３０が通知するリソース消費に比べて、大学キャンパス内の小型基地局４０が（追加の）オフセット補正情報を通知することで、全体としてのリソース消費が低減できるというマクロ基地局３０側（モバイルオペレータ側）の利点もある。
【００８３】
また、小型基地局へ接続しにくくする「忌避」の設定を行うことにより、ユーザのニーズに合わせた制御を行うことが可能である。例えば、ユーザの志向設定として、オフィスなどの特定の目的地に移動している際には、目的地であるオフィスの小型基地局４０に対して、より接続しやすくするためのオフセット補正情報を適用したオフセット情報を使用するが、その経路上にあるホットスポットのようなサービスを行っている商店などの小型基地局４０が検出されるたびに接続してしまうことを避けるため、それらの小型基地局４０に対してはより接続しにくくするための「忌避」のオフセット補正情報を適用したオフセット情報を使用することが考えられる。ユーザの帰宅時などには志向設定として、ホットスポットのようなサービスを行っている商店などの小型基地局４０へのより接続しにくくするためのオフセット補正情報を解除することで、通常の状態に戻すことができる。
【００８４】
このような方法は、自動車、列車などを用いてユーザが移動しているような場合で、一時的な停車などにより、ネットワーク側で行う移動速度などのみを用いた接続先判定ではユーザの意図していない（単なる通過地点である）小型基地局４０に接続してしまうことなどを防ぎたいような場合にも有効である。
【００８５】
この場合の使用可否情報の扱い方は接続しやすくするオフセット補正情報のみの場合とは異なる場合がある。例えば、使用可否情報を干渉制御の目的で行っている場合は、接続しにくくするためのオフセット補正情報をオフセット情報に適用しても干渉を増大させることにはならない。このような場合は、複数のレベルを持つ使用可否情報の場合と同様に、使用可否情報も区別して通知することが望ましい。別の方法としては、使用可能および、使用禁止の意味する内容を、接続しやすい状態へのオフセット情報補正可能および、接続しにくい状態へのオフセット情報補正可能と規定することで制御することもできる。
【００８６】
以上、第３の実施の形態について説明したが、上記した第３の実施の形態においても、第１の実施の形態と同様に、オフセット補正情報を適用可能な小型基地局４０の個数の上限値を設定することとしてもよい。この場合、優先度ごとに上限値を決定してもよい。
【００８７】
第３の実施の形態に、上記した第２の実施の形態の使用可否情報の構成を適用することも可能である。この場合、優先度の異なる複数のオフセット補正情報のうち、どのオフセット補正情報まで使用を許可し、どのオフセット補正情報からは許可しないというように優先度に応じて使用可否を制御することも可能である。
【００８８】
複数のオフセット補正情報が通知される場合には、移動端末１０が送信電力を上げて通信する必要がある場合に及ぼすマクロ基地局３０への影響も異なる。より接続しやすい設定にすることは、対象となる小型基地局４０への送信電力がより必要となる電波状況においても移動端末１０が接続を行うということに相当するので、使用可否の制御も、オフセット補正情報（第２優先）まで使用許可とする状況や、オフセット補正情報（第１優先）まで使用許可とする状況など段階的に制御できるようになっていることが望ましい。
【００８９】
（第４の実施の形態）
次に、本発明の第４の実施の形態の移動端末およびマクロ基地局について説明する。上記した第１〜第３の実施の形態においては、全移動端末１０および全小型基地局４０に共通のオフセット情報およびオフセット補正情報を用いる例について説明したが、第４の実施の形態においては、マクロ基地局３０は、全移動端末１０に共通のオフセット情報を送信すると共に、移動端末１０個別の設定を反映した小型基地局４０毎に異なるオフセット補正情報を送信する。
【００９０】
第４の実施の形態の移動端末１０およびマクロ基地局３０の基本的な構成は、第１の実施の形態の移動端末１０およびマクロ基地局３０の構成と同じである。移動端末１０は、ユーザの志向設定の変更に応じて、設定変更に係る小型基地局４０へのオフセット情報の変更を要求する。ネットワーク側はマクロ基地局３０を介して、移動端末１０が小型基地局４０の接続判定に使用するオフセット情報を報知する。ネットワーク側はマクロ基地局３０を介して、それぞれの移動端末１０に対してそれぞれの小型基地局４０の接続判定時に補正するオフセット補正情報の一覧を個別に通知する。
【００９１】
移動端末１０は、小型基地局４０を発見したときに、マクロ基地局３０から受信したオフセット情報を、発見した小型基地局４０に対応するオフセット補正情報で補正した値を用いてセルの選択を行う。
【００９２】
（第５の実施の形態）
次に、本発明の第５の実施の形態の移動端末およびマクロ基地局について説明する。上記した第１〜第３の実施の形態においては、全移動端末１０および全小型基地局４０に共通のオフセット情報およびオフセット補正情報を用いる例について説明したが、第５の実施の形態においては、マクロ基地局３０は、移動端末１０個別の設定を反映し、小型基地局４０毎に異なるオフセット情報を送信する共に、全移動端末１０に共通のオフセット補正情報を送信する。
【００９３】
第５の実施の形態の移動端末１０およびマクロ基地局３０の基本的な構成は、第１の実施の形態の移動端末１０およびマクロ基地局３０の構成と同じである。ネットワーク側は、マクロ基地局３０を介して、それぞれの小型基地局４０の接続判定に使用するオフセット情報と対応する小型基地局４０のＩＤの一覧を報知する。ネットワーク側は、マクロ基地局３０を介して、それぞれの移動端末１０が小型基地局４０の接続判定時に補正するオフセット補正情報を個別に通知する。
【００９４】
移動端末１０は、小型基地局４０を発見した際は、マクロ基地局３０から受信したオフセット情報と、発見した小型基地局４０に対応するオフセット補正情報を用いてセルの選択を行う。
【００９５】
（第６の実施の形態）
次に、本発明の第６の実施の形態の移動端末１０ａについて説明する。上記した第２の実施の形態においては、全移動端末１０ａおよび全小型基地局４０のセルに使用可否情報を適用する例について説明したが、第６の実施の形態においては、小型基地局４０のセル個別に干渉を考慮してオフセット情報およびオフセット補正情報の使用の可否を設定することで、小型基地局４０のセル毎にオフセットの情報およびオフセット補正情報の適用の可否を設定する。
【００９６】
オフセット情報およびオフセット補正情報の設定方法の例として、小型基地局４０のセルから報知されるintra-frequency  cell  reselection  indicator(IFRI)ビットと呼ばれる情報の値を基準にして設定することが考えられる。IFRIビットとは、移動端末１０ａにとって受信品質の最も良い小型基地局４０のセルが、移動端末１０ａにとってアクセス許可がない場合に、移動端末１０ａをどのセルに対してセル選択させるかを指示する情報である。例えば、検出したセルの中で最も受信品質の良い小型基地局４０のセルに対して移動端末１０のアクセス許可がない場合に、移動端末１０ａはそのセルの報知情報に含まれるIFRIビットを参照する。移動端末１０ａは、IFRIビットの内容を使用可否確認部２６によって確認する。IFRIビットが“allowed”の場合、移動端末１０ａは現在使用している周波数を変更せずに同一周波数内の他の受信品質の良いセルに対してセル選択することになる。この場合には、上り回線および下り回線の干渉が問題になるため、オフセット情報およびオフセット補正情報を使用禁止にすることで、上り回線および下り回線の干渉の増大を軽減することが可能となる。一方、IFRIビットが“non-allowed”の場合、移動端末１０ａは現在使用している周波数を変更して、別の周波数のセルに対してセル選択することになる。この場合は干渉の影響は少ないため、オフセット情報およびオフセット補正情報を使用可能とする。本実施の形態により、小型基地局４０のセル毎に、より柔軟に干渉を考慮したオフセット制御が可能になる。
【００９７】
第６の実施の形態の移動端末１０ａの基本的な構成は、第２の実施の形態の移動端末１０ａの構成と同じである。第６の実施の形態のマクロ基地局の基本的な構成は、第１の実施の形態のマクロ基地局３０と同じである。小型基地局４０は、報知情報としてIFRIビットを送信している。
【００９８】
以上、本発明の移動端末およびマクロ基地局について実施の形態を挙げて詳細に説明したが、本発明は上記した実施の形態に限定されるものではない。
【００９９】
異なる小型基地局４０は、異なる周波数帯で運用されている場合がある。この場合、セル選択先となる小型基地局４０が現在接続している基地局と同一周波数帯で運用されているか、異なる周波数帯で運用されているかによって、セル選択のしやすさを変えてセル選択の制御を行う必要があることが考えられる。このような場合に、オフセット補正情報を同一周波数帯／異周波数帯の優先度分を変化させる情報として用いることで、容易に制御できる。例えば、報知されるオフセット情報は、同一周波数帯で運用されている小型基地局４０で使用するためのオフセット情報であるとし、異周波数帯で運用されている小型基地局４０で使用する場合は、まず、オフセット補正情報によってオフセット情報を補正し、得られた補正済みのオフセット情報を使用するようにできる。
【０１００】
このオフセット補正情報は、上述のユーザの志向設定に基づいて選定された小型基地局４０に適用するオフセット補正情報とは別に（区別できるようにして）通知し、それぞれ独立して補正を適用できるようにしてもよい。
【０１０１】
このようにして、同一周波数帯／異周波数帯の優先制御のためにオフセット補正情報を用いることで、優先制御を容易に行うことができ、また、小型基地局４０が状況に応じて運用する周波数帯を変えたような場合でも柔軟に対応できるようになる。
【０１０２】
なお、オフセット補正情報は、マクロ基地局３０ごとに異なる設定であることが考えられる。例えば、オフセット情報がマクロ基地局３０ごとに異なっていたり、マクロ基地局３０の形成するセル内の小型基地局４０に応じて（セルごとにどのような小型基地局４０が存在するかは異なるため）適切な値に設定するため、移動端末１０はマクロ基地局３０を変更するたびに読み直す（受信し直す）情報要素として格納することが望ましい。
【０１０３】
オフセット補正情報は、時間帯によっては異なる設定が報知されることが考えられるので、移動端末１０側とネットワーク側でデータ伝送を行っていない状態（アイドル状態）であっても、移動端末１０は一定時間が経過した場合は、オフセット補正情報を読み直す（受信し直す）ことが望ましい。
【０１０４】
ネットワーク側において、使用可能の状態（使用可否情報の状態）を維持しつつもオフセット補正情報の補正量を変更したい場合などは、マクロ基地局３０は任意のタイミングでオフセット補正情報を変更し、変更した新しい値を受信し直すように移動端末１０に対して指示できるよう、例えば、ページングの送信（移動端末１０は受信）ができるようになっていることが望ましい。
【０１０５】
上述の大学キャンパスの使用例などでも示したように、移動端末１０が現在接続中の小型基地局４０から別の小型基地局４０にセル選択する場合や、移動端末１０が小型基地局４０からマクロ基地局３０にセル選択する場合に備えて、小型基地局４０がマクロ基地局３０とは別のオフセット情報及びオフセット補正情報を送信し、移動端末１０はそれらを受信し、更新もしくは小型基地局４０から受信したオフセット情報及びオフセット補正情報として格納し使用できるようになっていてもよい。これにより、小型基地局４０間のセル選択に別のセル選択傾向を付加したり、ユーザの小型基地局４０における滞在に関する志向設定を反映したり、同一周波数帯／異周波数帯を区別するときオフセット補正情報の追加を小型基地局４０から行ったりできるようになる。
【０１０６】
報知、個別通知は、複数の移動端末１０をまとめたグループ単位のグループ通知（マルチキャストなど）を用いてもよい。
【０１０７】
上記した第１〜第３の実施の形態では、オフセット情報およびオフセット補正用情報をブロードキャストにより送信する例について説明したが、オフセット情報およびオフセット補正情報の両方またはいずれか一方をユニキャストにより個別に通知することとしてもよい。
【０１０８】
上記した実施の形態では、オフセット補正情報はオフセット情報を加減算することでその値をシフトすることを前提として説明したが、オフセット情報自体を置き換える情報を通知することもできる。すなわち、優先接続を行う場合の第１のオフセット情報と、優先接続をしない場合の第２のオフセット情報を通知してもよい。優先の度合いを段階的に変えたい場合には、第１のオフセット情報、第２のオフセット情報、第３のオフセット情報・・・というように複数のオフセット情報を送信してもよい。この場合は、通知する情報の量が増加するが、適用するオフセットそのものが通知されるので、移動端末でのオフセット情報の変更のための構成が簡素になる。
【０１０９】
移動端末は、複数の通信デバイスから構成されるものであってもよく、例えばパーソナルコンピュータなどの電子計算機に外挿型あるいは組み込み型の３ＧＰＰ通信用デバイスモジュールや非３ＧＰＰ通信デバイスモジュールを装着する場合などがあり、こうした多様な移動端末においても本発明は同等の効果を有するものである。
【０１１０】
上記の本発明の実施の形態の説明で用いた各機能ブロックは、典型的には集積回路であるＬＳＩ（Large  Scale  Integration）として実現される。これらは個別に１チップ化されてもよいし、一部又はすべてを含むように１チップ化されてもよい。ここでは、ＬＳＩとしたが、集積度の違いにより、ＩＣ（Integrated  Circuit）、システムＬＳＩ、スーパーＬＳＩ、ウルトラＬＳＩと呼称されることもある。
【０１１１】
集積回路化の手法はＬＳＩに限るものではなく、専用回路又は汎用プロセッサで実現してもよい。ＬＳＩ製造後に、プログラムすることが可能なＦＰＧＡ（Field  Programmable  Gate  Array）や、ＬＳＩ内部の回路セルの接続や設定を再構成可能なリコンフィギュラブル・プロセッサを利用してもよい。
【０１１２】
さらには、半導体技術の進歩又は派生する別技術によりＬＳＩに置き換わる集積回路化の技術が登場すれば、当然、その技術を用いて機能ブロックの集積化を行ってもよい。例えば、バイオ技術の適応などが可能性としてあり得る。
【０１１３】
以上に現時点で考えられる本発明の好適な実施の形態を説明したが、本実施の形態に対して多様な変形が可能なことが理解され、そして、本発明の真実の精神と範囲内にあるそのようなすべての変形を添付の請求の範囲が含むことが意図されている。
【産業上の利用可能性】
【０１１４】
以上説明したように、本発明は、優先ホーム基地局が選択されやすくなる度合いを調整できるというすぐれた効果を有し、広域エリアをカバーするセルの、広域エリア内に存在する複数のセルとを有するネットワークにおいてセル選択の制御を行う移動端末またはマクロ基地局等として有用である。
【符号の説明】
【０１１５】
１０，１０ａ  移動端末
１２  基本通信機能
１４  志向設定処理部
１６  小型基地局管理部
１８  オフセット情報補正処理部
２０  オフセット補正情報保持部
２２  オフセット情報保持部
２４  セル選択部
２６  使用可否情報確認部
３０，３０ａ  マクロ基地局
３２  基本通信機能
３４  オフセット生成部
３６  オフセット補正情報生成部
３８  使用可否情報生成部
４０ａ〜４０ｃ  小型基地局
【手続補正３】
【補正対象書類名】図面
【補正対象項目名】全図
【補正方法】変更
【補正の内容】
【図１】
2010032351.tif 000014
【図２】
2010032351.tif 000015
【図３】
2010032351.tif 000016
【図４】
2010032351.tif 000017
【図５】
2010032351.tif 000018
【図６】
2010032351.tif 000019
【図７】
2010032351.tif 000020
【図８】
2010032351.tif 000021
【図９】
2010032351.tif 000022
【図１０】
2010032351.tif 000023
【図１１】
2010032351.tif 000024
【国際調査報告】
2010032351.tif 000025
2010032351.tif 000026
2010032351.tif 000027
2010032351.tif 000028